(57)【要約】  本開示は、整形外科的処置で使用するための骨ねじを説明する。骨ねじは、螺旋ねじ山を有するシャンク部分と、同様に螺旋ねじ山を有する頭部部分とを含む。頭部部分は、円錐の先細りが近位方向に減少していく逆円錐台状の形状を有する。【選択図】図４
2022500220.tif 000002
【特許請求の範囲】
【請求項１】
ヒト患者の解剖学的標的部位での整形外科手術用のねじであって、
頭部、シャンク、及び前記頭部と前記シャンクとの間に延びるネックであって、前記頭部の近端部と前記シャンクの末端部との間に延びる長手方向軸に沿って同一線上にある、前記頭部、前記ネック、及び前記シャンクと、
前記頭部であって、
前記頭部の前記近端部での狭い基部と、前記頭部の末端部での幅広い基部と、前記狭い基部から前記幅広い基部へ拡大する内径と、前記長手方向軸に対して先細になって逆テーパー角を定める、前記狭い基部と前記幅広い基部との間に延びる湾曲した外側面とによって画定された逆円錐台断面形状と、
前記頭部の前記狭い基部から前記頭部の前記幅広い基部への方向で右回りに延びる少なくとも１つの螺旋ねじ山であって、前記少なくとも１つの螺旋ねじ山が、前記頭部が使用中に移植され、それによって骨の中への前記頭部の増力を強化するときに、前記解剖学的標的部位の一部を形成する前記骨と接触するねじ山表面積を遠位から近位の方向に拡大するために、前記幅広い基部から前記狭い基部へ拡大する、及び一定のままであるのうちの少なくとも１つである前記頭部の外径を定める直径を有し、少なくとも１つのピッチを有する前記少なくとも１つの螺旋ねじ山と、
前記頭部の前記狭い基部から前記湾曲した外側面に沿った所定の場所に延びるベベル面であって、前記頭部が使用中に移植され、それによって前記頭部が骨に対して斜めに移植されるとき前記骨の外面を越えて前記頭部が延びる程度を削減または排除するときに、前記ベベル面が、前記解剖学的標的部位の一部を形成する前記骨の前記外面に対して概して平行に及び同一平面で配置され得るような寸法にされたベベル角を定めるために前記長手方向軸に平行である前記頭部の上面に対して傾けられる、前記ベベル面と、
前記頭部、前記シャフト、及び前記ネックが、前記シャフト、前記ネック、及び前記頭部を患者の解剖学的標的の中に打ち込むために前記長手方向軸の周りで回転され得るように、器具と協調するための寸法にされたドライブ特徴と
を含む前記頭部と、
前記シャンクであって、
前記シャンクの近端部から前記シャンクの前記末端部への方向で右回りに延びる少なくとも１つの螺旋ねじ山を有する湾曲した外側面であって、前記少なくとも１つの螺旋ねじ山が、前記頭部の前記外径未満である前記シャンクの外径を定める直径を有し、前記少なくとも１つの螺旋ねじ山が少なくとも１つのピッチを含む、前記湾曲した外側面と
を含む前記シャンクと
を備える、ねじ。
【請求項２】
前記頭部の前記逆テーパー角が約４°と１５°との間である、請求項１に記載の整形外科手術用のねじ。
【請求項３】
前記頭部の前記逆テーパー角が約６度である、請求項２に記載の整形外科手術用のねじ。
【請求項４】
前記頭部の前記少なくとも１つの螺旋ねじの前記ピッチが、０．５ｍｍ〜２．５ｍｍの範囲内である、請求項１に記載の整形外科手術用のねじ。
【請求項５】
前記頭部の前記少なくとも１つの螺旋ねじ山の前記ピッチが、約１．５ｍｍである、請求項４に記載の整形外科手術用のねじ。
【請求項６】
前記頭部の前記少なくとも１つの螺旋ねじ山の前記ピッチが、前記ねじが使用中圧縮中性ねじとなるように、前記シャンクの前記少なくとも１つの螺旋ねじ山の前記ピッチにほぼ等しい、請求項１に記載の整形外科手術用のねじ。
【請求項７】
前記頭部の前記少なくとも１つの螺旋ねじ山の前記ピッチが、（ａ）前記ねじが使用中圧縮ねじになるように前記シャンクの前記少なくとも１つの螺旋ねじ山のピッチにほぼ等しくない、及び（ｂ）前記ねじが使用中圧縮ねじになるように、前記狭い基部での第１のピッチ及び前記幅広い基部での第２のピッチを含む変化するピッチのうちの少なくとも１つである、請求項１に記載の整形外科手術用のねじ。
【請求項８】
前記頭部の前記ベベル角が１度と６０°との間の範囲内である、請求項１に記載の整形外科手術用のねじ。
【請求項９】
前記頭部の前記ベベル角が約５０度である、請求項８に記載の整形外科手術用のねじ。
【請求項１０】
前記頭部の前記内径が１．７５ｍｍ〜９ｍｍの範囲内である、請求項１に記載の整形外科手術用のねじ。
【請求項１１】
前記頭部の前記内径が前記幅広い基部で約４．５ｍｍである、請求項１０に記載の整形外科手術用のねじ。
【請求項１２】
前記頭部の前記外径が２ｍｍ〜１０ｍｍの範囲内である、請求項１に記載の整形外科手術用のねじ。
【請求項１３】
前記頭部の前記外径が約５ｍｍである、請求項１２に記載の整形外科手術用のねじ。
【請求項１４】
前記シャンクが、１．０ｍｍと７．５ｍｍとの間の範囲内の内径を有する、請求項１に記載の整形外科手術用のねじ。
【請求項１５】
前記シャンクの前記内径が約３ｍｍである、請求項１４に記載の整形外科手術用のねじ。
【請求項１６】
前記シャンクの前記外径が１．５ｍｍ〜８ｍｍの間の範囲内である、請求項１に記載の整形外科手術用のねじ。
【請求項１７】
前記シャンクの前記外径が約４ｍｍである、請求項１６に記載の整形外科手術用のねじ。
【請求項１８】
前記頭部の前記少なくとも１つの螺旋ねじ山の少なくとも１つが、切削縦溝及び逆切削縦溝の少なくとも１つを含む、請求項１に記載の整形外科手術用のねじ。
【請求項１９】
前記シャンクの前記少なくとも１つの螺旋ねじ山の前記少なくとも１つが切削縦溝を含む、請求項１に記載の整形外科手術用のねじ。
【請求項２０】
前記シャンクの前記少なくとも1つの螺旋ねじ山が二重螺旋ねじ山である、請求項１に記載の整形外科手術用のねじ。
【発明の詳細な説明】
【技術分野】
【０００１】
関連出願
本願は、２０１８年９月１４日に出願され、「ＯＲＴＨＯＰＥＤＩＣ  ＢＯＮＥ  ＳＣＲＥＷ」と題する共同所有された同時係属の米国仮特許出願第６２／７３１，５４０号の利益を主張する国際出願であり、その全体的な内容は、これによって本明細書に完全に説明されるように本開示に参照により組み込まれる。
【０００２】
本発明は、一般的に整形外科的処置で使用するための骨ねじに関し、より詳細には、近位方向に先細りが減少する円錐台状の頭部を有する骨ねじに関する。
【背景技術】
【０００３】
骨ねじは、通常、３つの主要な部分、つまり、頭部と、シャンクと、ねじ山とを有する。大部分のねじの頭部は、一般的に円錐台状の形状を有する−つまり、円錐の先端を切除して切断部を高さに対して垂直にし、下底が円錐のより幅が広い元の基部であり、上底がより狭い新たに形成された表面となる、円形で平行した下底及び上底を形成することによって形成される円錐の錐台に似ている。錐台の幅広い基部は、ねじの上部（または近位対向面）を含み、多くの場合、ドライブ特徴（例えば、マイナスドライバーを受け入れるための単一のスロット、プラスドライバーを受け入れるためのクロスハッチスロット）を備えている。錐台のより狭い基部は、通常、シャンクに遷移し、異なるネック領域を形成してよい。
【発明の概要】
【発明が解決しようとする課題】
【０００４】
本明細書に説明される骨ねじの多様な例は、小さな骨修復（例えば、手、手首、足首、及びＢｕｎｉｏｎｐｌａｓｔｙ（登録商標）外反母趾手術などを含む足の骨折の外科的修復）及び大きな骨修復（例えば、腕及び脚の長骨の外科的修復）を含むが、これに限定されない様々な整形外科的処置において適している。本明細書に説明される骨ねじは、必要に応じて様々な長さ及び／または直径（外径と内径の両方）の寸法で提供され得る。本明細書に説明される骨ねじは、圧縮または圧縮中性であってよい。また、本明細書に記載の骨ねじは、骨から突出することなく極端な角度での移植のために構成され得る。
【課題を解決するための手段】
【０００５】
いくつかの実施形態では、本明細書に説明される整形外科骨ねじは、頭部と、シャンクと、頭部とシャンクとの間に配置されるネックとを含む。骨ねじは、近端部と、末端部とをさらに含む。頭部は、骨ねじの近端部に／近端部の近くに配置され、シャンクは骨ねじのネックから末端部に長手方向軸に沿って軸方向に延びる。頭部は、湾曲した外側面と、湾曲した外側面の周りに配置された螺旋ねじ山とを含む。
【０００６】
いくつかの実施形態では、頭部は概して円錐台状の断面形状を有するが、錐台の幅広い基部がねじの最近位（または上）面を形成する典型的な先行技術の骨ねじとは異なり、本開示の骨ねじでは、錐台の狭い基部が骨ねじの最近位（または上）面を形成する。この向きは、円錐台形状の向きが、典型的な先行技術の骨ねじに対して垂直に反転していることを示すために、本明細書では「逆円錐」または「逆円錐台状」と呼ばれる場合がある。
【０００７】
いくつかの実施形態では、湾曲した外側面は、幅広い基部から狭い基部へ近位方向に先細になる。テーパー角は、長手方向軸（及びその平行線）に対して測定された４〜１５°の範囲内であってよい。また、湾曲した外側面のテーパー角は、頭部の円錐台形状を画定する円錐の包括的な角度に関して特徴付けられる場合がある。そのような特徴付けでは、包括的な角度は、８〜３０°の範囲内であってよい。
【０００８】
いくつかの実施形態では、頭部は、幅広い基部で１．７５ｍｍ〜９．０ｍｍの範囲内の内径、及び２．０ｍｍ〜１０．０ｍｍの範囲内の外径を有する場合がある。第１の内径は、（螺旋ねじ山の）外径未満である。
【０００９】
いくつかの実施形態では、頭部は、角度のある面（同様に、「斜角面」または「ベベル」）と、ドライバー凹部とを含む場合がある。角度のある面は、上面と外側面との間に形成される。上面は、頭部の直径に沿って測定されるとゼロより大きい幅広い寸法を有し、角度のある面がねじの上部全体に完全に広がらないことを確実にする。
【００１０】
いくつかの実施形態では、頭部は、上面の幅寸法がほぼゼロになる（例えば、角度のある面が画面の上部全体に完全に広がる）ように、上面と外側面との間に形成された角度のある面／斜角面／ベベルを含む場合がある。
【００１１】
いくつかの実施形態では、角度のある面は、一般的には長手方向軸に垂直である上面の平面から測定された１〜６０°の範囲内のベベル角度を有する場合がある。角度のある面は、骨ねじが骨構造に対して斜めに移植されるときに骨構造の端縁を超えて延び得るねじ材料の量を削減／排除する。
【００１２】
いくつかの実施形態では、ドライバー凹部は、長手方向軸に沿って上面及び角度のある面の中に形成され、ドライバー（例えば、マイナス、プラス、ヘクサローブ、トルクスなど）を受け入れるために適した任意の形状を有する場合がある。
【００１３】
いくつかの実施形態では、頭部の螺旋ねじ山は、０．５ｍｍ〜２．５ｍｍの範囲内のピッチ（例えば、任意の１つの場所での隣接するねじ山間の距離）を有する場合がある。
【００１４】
いくつかの実施形態では、頭部の螺旋ねじ山は可変ピッチを有する場合がある。
【００１５】
いくつかの実施形態では、骨ねじは、圧縮中性である場合がある。本実施形態では、頭部の螺旋ねじ山は、シャンクの螺旋ねじ山と同じピッチを有する場合もあれば、代わりにシャンクの螺旋ねじ山のピッチの偶数倍（例えば、２ｘ）であるピッチを有する場合がある。
【００１６】
いくつかの実施形態では、骨ねじは、圧縮ねじである場合がある。本実施形態では、頭部の螺旋ねじ山は、シャンクの螺旋ねじ山のピッチとは異なる場合があり、該頭部ピッチはシャンクピッチの偶数倍ではない。
【００１７】
いくつかの実施形態では、頭部は、シャンクから頭部への遷移を容易にするために、ねじが骨の中に打ち込まれるにつれて骨材料を取り除くように働く螺旋ねじ山の末端部に形成された切削縦溝を含む場合がある。
【００１８】
いくつかの実施形態では、頭部の螺旋ねじ山は一定のままである外径を有する。
【００１９】
いくつかの実施形態では、頭部の螺旋ねじ山は、近端部での外径がネック近くの外径よりも大きくなり、結果として骨と接触する螺旋ねじ山の表面積が、遠位から近位の方向に拡大し、骨の中へのねじの増力を強化するように、近接して配向された外向きテーパーを有する。
【００２０】
いくつかの実施形態では、頭部の螺旋ねじ山は、近端部での外径がネック近くの外径未満であるように、近接して配向された内向きテーパーを有する。
【００２１】
いくつかの実施形態では、螺旋ねじ山の内向きテーパーは、湾曲した外側面のテーパー角と同一であるテーパー角を有する。
【００２２】
いくつかの実施形態では、シャンクは円筒形の形状であり、骨ねじのネックに近接した近端部から末端部へ延びる。シャンクは、湾曲した外側面と、湾曲した外側面の周りに配置された螺旋ねじ山とを含む。
【００２３】
いくつかの実施形態では、シャンクは、１．０ｍｍ〜７．５ｍｍの範囲内の内径、及び１．５ｍｍ〜８ｍｍの範囲内の外径を有する場合がある。好ましくは、シャンクの外径は、頭部の外径未満である。
【００２４】
いくつかの実施形態では、シャンクの螺旋ねじ山は、０．５ｍｍ〜２．５ｍｍの範囲内のピッチを有する場合がある。
【００２５】
いくつかの実施形態では、シャンクは、各々が０．５ｍｍ〜５．０ｍｍの範囲内のピッチを有する１対の螺旋ねじ山を有する場合がある。
【００２６】
いくつかの実施形態では、シャンクは、末端部に配置された１つ以上の切削縦溝を含む。切削縦溝は、ねじが骨の中に打ち込まれるにつれて骨材料を取り除くように働き、これにより外科的処置中に下穴を開ける必要性がなくなる。
【００２７】
いくつかの実施形態では、骨ねじは、ねじが骨から取り除かれるにつれて骨材料を取り除くために、１つ以上の逆切削縦溝を含む。
【００２８】
いくつかの実施形態では、ネックは、逆円錐頭部とシャンクとの間の滑らかな繊維を提供するために遠位方向に先細になる湾曲した外側面を含む。
【００２９】
いくつかの実施形態では、骨ねじはカニューレを挿入され、ねじの全体を通って軸方向に延びる中心管腔を含む。中心管腔はそこを通るガイドワイヤ（例えば、Ｋワイヤ）を受け入れて、骨ねじを正しい移植場所に誘導するようなサイズに作られ、構成される。
【００３０】
以下に説明される実施形態に対する追加の説明として、本開示は、以下の実施形態を説明する。
【００３１】
実施形態１は、ヒト患者の解剖学的標的部位での整形外科手術用のねじであり、頭部、シャンク、及び該頭部と該シャンクとの間に延びるネックであって、該頭部の近端部と該シャンクの末端部との間で延びる長手方向軸に沿って同一線上にある該頭部、該ネック、及び該シャンクと、該頭部であって、（１）該頭部の該近端部での狭い基部と、該頭部の末端部での幅広い基部と、該狭い基部から該幅広い基部へ拡大する内径と、逆該長手方向軸に対して先細になって逆テーパー角を定める、該狭い基部と該幅広い基部との間に延びる湾曲した外側面とによって画定された逆円錐台断面形状と、（２）該頭部の該狭い基部から該頭部の該幅広い基部への方向で右回りに延びる少なくとも１つの螺旋ねじ山であって、該少なくとも１つの螺旋ねじ山は、該頭部が使用中に移植され、それによって骨の中への該頭部の増力を強化するときに、該解剖学的標的部位の一部を形成する該骨と接触するねじ山表面積を遠位から近位の方向に拡大するために、該幅広い基部から該狭い基部へ拡大する、及び一定のままであるのうちの少なくとも１つである該頭部の外径を定める直径を有し、少なくとも１つのピッチを有する該少なくとも１つの螺旋ねじ山と、（３）該頭部の該記狭い基部から該湾曲した外側面に沿った所定の場所に延びるベベル面であって、該頭部が使用中に移植され、それによって該頭部が骨に対して斜めに移植されるとき該骨の外面を越えて該頭部が延びる程度を削減または排除するときに、該ベベル面が、該解剖学的標的部位の一部を形成する該骨の該外面に対して概して平行に及び同一平面で配置され得るような寸法にされたベベル角を定めるために該長手方向軸に平行である該頭部の上面に対して傾けられる、該ベベル面と、（４）該頭部、該シャフト、及び該ネックが、該シャフト、該ネック、及び該頭部を患者の解剖学的標的の中に打ち込むために該長手方向軸の周りで回転され得るように器具と協調するための寸法にされたドライブ特徴とを含む該頭部と、該シャンクであって、該シャンクの近端部から該シャンクの該末端部への方向で右回りに延びる少なくとも１つの螺旋ねじ山を有する湾曲した外側面であって、該少なくとも１つの螺旋ねじ山が、該頭部の該外径未満である該シャンクの外径を定める直径を有し、該少なくとも１つの螺旋ねじ山が少なくとも１つのピッチを含む、該湾曲した外側面とを含む該シャンクとを含む。
【００３２】
実施形態２は、該頭部の該逆テーパー角は約５度と１５度との間である、実施形態１に記載の整形外科手術用のねじである。
【００３３】
実施形態３は、該頭部の該逆テーパー角が６度である、実施形態１または２に記載のねじである。
【００３４】
該頭部の該少なくとも１つの螺旋ねじ山の該ピッチは、０．５ｍｍ〜２．５ｍｍの範囲内である、実施形態１から３のいずれか１つに記載のねじである。
【００３５】
実施形態５は、該頭部の該少なくとも１つの螺旋ねじ山の該ピッチは約１．５ｍｍである、実施形態１から４のいずれか１つに記載のねじである。
【００３６】
実施形態６は、該頭部の該少なくとも１つの螺旋ねじ山の該ピッチは、該ねじが使用中圧縮中性ねじであるように、該シャンクの該少なくとも１つの螺旋ねじ山の該ピッチにほぼ等しい、実施形態１から５のいずれか１つに記載のねじである。
【００３７】
実施形態７は、該頭部の該少なくとも１つの螺旋ねじ山の該ピッチは、（ａ）該ねじが使用中圧縮ねじであるように、該シャンクの該少なくとも１つの螺旋ねじ山の該ピッチにほぼ等しくない、及び（ｂ）該ねじが使用中圧縮ねじであるように、該狭い基部での第１のピッチと該幅広い基部での第２のピッチとを含む可変ピッチのうちの少なくとも１つである、実施形態１から６のいずれか１つに記載のねじである。
【００３８】
実施形態８は、該頭部の該ベベル角は、１度と６０度との間の範囲内である、実施形態１から７のいずれか１つに記載のねじである。
【００３９】
実施形態９は、該頭部の該ベベル角は約５０度である、実施形態１から８のいずれか１つに記載のねじである。
【００４０】
実施形態１０は、該頭部の該内径は１．７５ｍｍ〜９ｍｍの範囲内である、実施形態１から９のいずれか１つに記載のねじである。
【００４１】
実施形態１１は、該頭部の該内径は、該幅広い基部で約４．５ｍｍである、実施形態１から１０のいずれか１つに記載のねじである。
【００４２】
実施形態１２は、該頭部の該外径は、２ｍｍから１０ｍｍの範囲内である、実施形態１から１１のいずれか１つに記載のねじである。
【００４３】
実施形態１３は、該頭部の該外径は約５ｍｍである、実施形態１から１２のいずれか１つに記載のねじである。
【００４４】
実施形態１４は、該シャンクは、１．０ｍｍと７．５ｍｍの範囲内の内径を有する、実施形態１から１３のいずれか１つに記載のねじである。
【００４５】
実施形態１５は、該シャンクの該内径は約３ｍｍである、実施形態１から１４のいずれか１つに記載のねじである。
【００４６】
実施形態１６は、該シャンクの該外径は１．５ｍｍから８ｍｍの範囲内である、実施形態１から１７のいずれか１つに記載のねじである。
【００４７】
実施形態１７は、該シャンクの該外径は約４ｍｍである、実施形態１から１６のいずれか１つに記載のねじである。
【００４８】
実施形態１８は、該頭部の該少なくとも１つの螺旋ねじ山のうちの少なくとも１つは、切削縦溝及び逆切削縦溝のうちの少なくとも１つを含む、実施形態１から１７のいずれか１つに記載のねじである。
【００４９】
実施形態１９は、該シャンクの該少なくとも１つの螺旋ねじ山の該少なくとも１つは切削縦溝を含む、実施形態１から１８のいずれか１つに記載のねじである。
【００５０】
実施形態２０は、該シャンクの該少なくとも１つの螺旋ねじ山は二重螺旋ねじ山である、実施形態１から１９のいずれか1つに記載のねじである。
【００５１】
任意の特定の例示的な実施形態に関して本明細書に図示され、説明された任意の要素または特徴は、制限なく、他の例示的な実施形態に関して図示され、説明された任意の他の特徴（複数可）または要素（複数可）と組み合わせて使用され得ることに留意することが重要である。
【００５２】
本開示の多くの優位点は、類似する参照番号が類似する要素に適用される、添付図面と併せて本明細書を読んだ当業者に明らかになる。
【図面の簡単な説明】
【００５３】
【図１】本開示の一実施形態に係る、骨ねじの第１の例の正面平面図である。
【図２】図１の骨ねじの頭部領域の正面平面図である。
【図３】図２の頭部領域の側面平面図である。
【図４】図１の骨ねじの斜視図である。
【図５】図１の骨ねじの平面図である。
【図６】図１の骨ねじの底面図である。
【図７】本開示の一実施形態に係る骨ねじの第２の例の正面平面図である。
【図８】図７の骨ねじの頭部領域の正面平面図である。
【図９】図８の頭部領域の側面平面図である。
【図１０】本開示の一実施形態に係る骨ねじの第３の例の正面平面図である。
【図１１】図１０の骨ねじの頭部領域の正面平面図である。
【図１２】図１１の頭部領域の側面平面図である。
【図１３】本開示の一実施形態に係る骨ねじの第４の例の正面平面図である。
【図１４】図１３の骨ねじの頭部領域の正面平面図である。
【図１５】図１４の頭部領域の側面平面図である。
【図１６】本開示の一実施形態に係る骨ねじの第５の例の正面平面図である。
【図１７】図１６の骨ねじの頭部領域の正面平面図である。
【図１８】図１７の頭部領域の側面平面図である。
【図１９】本開示の一実施形態に係る骨ねじの第６の例の正面平面図である。
【図２０】図１９の骨ねじの頭部領域の正面平面図である。
【図２１】図２０の頭部領域の側面平面図である。
【図２２】本開示の一実施形態に係る骨ねじの第７の例の正面平面図である。
【図２３】図２２の骨ねじの頭部領域の正面平面図である。
【図２４】図２３の頭部領域の側面平面図である。
【図２５】本開示の一実施形態に係る骨ねじの第８の例の正面平面図である。
【図２６】図２５の骨ねじの頭部領域の正面平面図である。
【図２７】図２６の頭部領域の側面平面図である。
【図２８】本開示の一実施形態に係る骨ねじの第９の例の正面平面図である。
【図２９】図２８の骨ねじの頭部領域の正面平面図である。
【図３０】図２９の頭部領域の側面平面図である。
【図３１】本開示の一実施形態に係る骨ねじの第１０の例の正面平面図である。
【図３２】図２８の骨ねじの頭部領域の正面平面図である。
【図３３】図３１の頭部領域の側面平面図である。
【図３４】本開示の一実施形態に係る骨ねじの第１１の例の正面平面図である。
【図３５】図３４の骨ねじの頭部領域の正面平面図である。
【図３６】図３４の頭部領域の側面平面図である。
【図３７】本開示の一実施形態に係る骨ねじの１２の例の正面平面図である。
【図３８】図３７の骨ねじの頭部領域の正面平面図である。
【図３９】図３７の頭部領域の側面平面図である。
【図４０】本解除の一実施形態に従って、外反母趾修復手術中に使用する図１の骨ねじの代表的な画像の平面図である。
【図４１】骨折した足の骨を修復するために使用する図１の骨ねじの代表的な画像の平面図である。
【図４２】本開示の一実施形態に従って、外反母趾修復手術中に使用する図３１の骨ねじの代表的な画像の平面図である。
【図４３】腐植骨を修復するために使用する図１の複数の骨ねじの代表的な画像の斜視図である。
【図４４】手首のいくつかの骨折を修復するために使用する図１の複数の骨ねじの代表的な画像の平面図である。
【図４５】図１の骨ねじの頭部領域の拡大平面図である。
【図４６】図１の骨ねじの頭部領域の考えられる構成のいくつかの例を示す図である。
【図４７】図１の骨ねじの頭部領域の考えられる構成のいくつかの例を示す図である。
【図４８】図１の骨ねじの頭部領域の考えられる構成のいくつかの例を示す図である。
【図４９】図１の骨ねじの頭部領域の考えられる構成のいくつかの例を示す図である。
【図５０】図１の骨ねじの頭部領域の考えられる構成のいくつかの例を示す図である。
【図５１】図１の骨ねじの頭部領域の考えられる構成のいくつかの例を示す図である。
【発明を実施するための形態】
【００５４】
本発明の例示の実施形態は以下に示される。明確にするために、実際の実施態様のすべての特徴が本明細書に説明されるわけではない。任意のそのような実際の実施形態の開発においては、ある実施態様から別の実施態様で変わる、システム関連及び事業関連の制約事項の順守などの開発者の特定の目標を達成するために、多数の実施態様に特有の決定を下さなければならないことが理解されるのは言うまでもない。さらに、そのような開発努力は複雑且つ多大な時間を必要とする可能性があるが、それにも関わらず、本開示の利点を有する当業者にとって日常的な作業になるであろうことが理解される。本明細書に開示される骨ねじ及び関連する方法は、個別に及び組み合わされての両方で特許権保護を正当化するさまざまな発明の特徴及び構成要素を誇る。
【００５５】
本明細書に説明する骨ねじの多様な例は、小さな骨修復（例えば、手、手首、足首、及びＢｕｎｉｏｎｐｌａｓｔｙ（登録商標）外反母趾手術、距骨頸骨折修復などを含む足の骨折の外科的修復）及び大きな骨修復（例えば、腕及び脚の長骨の外科的修復）を含むが、これに限定されない様々な整形外科的処置において適している。本明細書に説明される骨ねじは、必要に応じて様々な長さ及び／または直径（外径と内径の両方）の寸法で提供され得る。本明細書に説明される骨ねじは、圧縮または圧縮中性である場合がある。
【００５６】
図１から図６は、本開示の一実施形態に係る骨ねじ１０の例を示す。例として、骨ねじ１０は、頭部１２と、シャンク１４と、頭部１２とシャンク１４との間に配置されたネック１６とを含む。骨ねじ１０は、近端部１８と、末端部２０とをさらに含む。頭部１２は、骨ねじ１０の近端部１８に／近端部１８の近くに配置され、シャンク１４は、骨ねじ１０のネック１６から末端部２０へ長手方向軸Ｌ１（同様に「垂直軸」）に沿って軸方向に延びる。頭部１２は、湾曲した外側面２２と、湾曲した外側面２２の周りに配置された螺旋ねじ山２４とを含む。頭部１２は、一般に円錐台形状２６を有するが、錐台の幅広い基部２８がねじの最近位（または上）面を形成する典型的な先行技術の骨ねじとは異なり、本例では、錐台の狭い基部３０が骨ねじ１０の最近位（または上）面３２を形成する。この向きは、円錐台形状の向きが、典型的な先行技術の骨ねじに対して垂直に反転されていることを示すために、本明細書で「逆円錐」または「逆円錐台状」と呼ばれる場合がある。湾曲した外側面２２は、幅広い基部２８から狭い基部３０へ近位方向に先細になる。例として、湾曲した外側面２２は、長手方向軸Ｌ１に対して５．９°の角度Ａ１で先細になる（１１．８°の傾斜角を有する頭部の形状を画定する円錐を生じさせる）が、角度Ａ１は、本開示の範囲から逸脱することなく４〜１５°（８〜３０°を含めた角度）の範囲内であってよい。
【００５７】
頭部１２は、幅広い基部２８で１．７５ｍｍ〜９．０ｍｍの範囲内の内径を有する場合がある。頭部１２は、２．０ｍｍ〜１０．０ｍｍの範囲内の外径（例えば、螺旋ねじ山２４の外径）を有する。第１の内径は、（螺旋ねじ山２４の）外径未満である。例として、図１〜図４に示される骨ねじ１０の頭部１２は、幅広い基部２８で約４．５ｍｍの内径、及び約５．０ｍｍの外径を有する。円錐台形状の結果として、頭部１２は、近位から遠位の方向に拡大する内径を有する。外径は一定のままに留まり、結果として、骨に接触するねじ山表面積は、遠位から近位の方向に拡大し、骨の中へのねじの増力を強化する。
【００５８】
頭部１２は、角度のある面３４（同様に、「斜角面」または「ベベル」）と、ドライバー凹部３６とをさらに含む。角度のある面３４は、上面３２と外側面２２との間に形成される。上面３２は、頭部の直径に沿って測定されるとゼロより大きい幅広い寸法を有し、角度のある面３４がねじ１０の上部全体に完全に広がらないことを確実にする。本例では、上面３２は０．６５ｍｍの幅寸法を有するが、幅寸法は、骨ねじ１０の全体的なサイズに応じてより多い場合もあれば、より少ない場合もある。例として、角度のある面３４は、長手方向軸Ｌ１に対して概して垂直である、上面３２の平面から測定された１〜６０°の範囲内のベベル角
【数１】
2022500220.tif 000003
を有する場合がある。例として、図１から図６に示される骨ねじ１０のベベル角
【数２】
2022500220.tif 000004
は、５０°である。角度のある面３４は、頭部が使用中に移植され、それによって骨ねじ１０が骨構造に対して斜めに移植されるときに骨の外面を越えて頭部が延びる程度を削減または排除するときに、解剖学的標的部位の一部を形成する骨の外面に概して平行及び同一平面上に配置される。ドライバー凹部３６は、長手方向軸Ｌ１に沿って上面３２及び角度のある面３４の中に形成され、ドライバー（例えば、マイナス、プラス、ヘクサローブ、トルクスなど）を受け入れるために適した任意の形状を有する場合がある。
【００５９】
螺旋ねじ山２４は、０．５ｍｍ〜２．５ｍｍの範囲内のピッチ３８（例えば、任意の１つの場所での隣接するねじ山間の距離）を有する場合がある。例として、本例の螺旋ねじ山２４は、１．５ｍｍピッチを有する。頭部１２は、シャンク１４から頭部１２への遷移を容易にするために、ねじ１０が骨の中に打ち込まれるにつれて骨材料を取り除くように働く、螺旋ねじ山２４の末端部に形成された切削縦溝４０をさらに含む場合がある。
【００６０】
例として、シャンク１４は円筒形の形状であり、骨ねじ１０のネック１６に隣接する近端部から末端部２０に延びる。シャンク１４は、湾曲した外側面４２と、湾曲した外側面の周りに配置された螺旋ねじ山４４とを含む。シャンク１４は、１．０ｍｍ〜７．５ｍｍの範囲内の内径、及び１．５ｍｍ〜８ｍｍの範囲内の外径を有する場合がある。好ましくは、シャンク４の外径は、頭部１２の外径未満である。本明細書に示され、説明される例では、シャンク１４は、３ｍｍの内径、及び約４ｍｍの外径を有する。螺旋ねじ山４４は、０．５ｍｍ〜２．５ｍｍの範囲内のピッチ４６を有する場合がある。例として、本例の螺旋ねじ山４４は、頭部１２の螺旋ねじ山２４のピッチと同じである、１．５ｍｍのピッチを有する。頭部１２及びシャンク１４は同じピッチを有するため、骨ねじ１０は圧縮中性である。シャンク１４は、末端部２０に配置された１つ以上の切削縦溝４８をさらに含む。切削縦溝４８は、ねじ１０が骨の中に打ち込まれるにつれて骨材料を取り除くように働き、これにより外科的処置中に下穴を開ける必要性がなくなる。
【００６１】
ネック１６は、逆円錐頭部１２とシャンク１４との間で滑らかな遷移を与えるために、遠位方向に先細になる湾曲した外側面５０を含む。
【００６２】
例として、骨ねじ１０はカニューレを挿入される場合があり、ねじ１０の全体を通って軸方向に延びる中心管腔５２をさらに含む。中心管腔５２はそれを通るガイドワイヤ（例えば、Ｋワイヤ）を受け入れて、骨ねじ１０を正しい移植場所に誘導するようなサイズに作られ、構成される。
【００６３】
図７から図９は、本開示の別の実施形態に係る骨ねじ１１０の例を示す。例として、骨ねじ１１０は、頭部１１２と、シャンク１１４と、頭部１１２とシャンク１１４との間に配置されたネック１１６とを含む。骨ねじ１１０は、近端部１１８と、末端部１２０とをさらに含む。頭部１１２は、骨ねじ１１０の近端部１１８に／近端部１１８の近くに配置され、シャンク１１４は、骨ねじ１１０のネック１１６から末端部１２０へ長手方向軸Ｌ２（同様に「垂直軸」）に沿って軸方向に延びる。頭部１１２は、湾曲した外側面１２２と、湾曲した外側面１２２の周りに配置された螺旋ねじ山１２４とを含む。頭部１１２は、骨ねじ１０に関して上述されたように、逆円錐台断面形状１２６を有する。湾曲した外側面１２２は、幅広い基部１２８から狭い基部１３０へ近位方向に先細になる。例として、湾曲した外側面１２２は、長手方向軸Ｌ２に対して５．９°の角度Ａ２で先細になる（１１．８°の傾斜角を有する頭部の形状を画定する円錐を生じさせる）が、角度Ａ２は、本開示の範囲から逸脱することなく４〜１５°（８〜３０°を含めた角度）の範囲内である場合がある。
【００６４】
頭部１１２は、幅広い基部１２８で１．７５ｍｍ〜９．０ｍｍの範囲内の内径を有する場合がある。頭部１１２は、２．０ｍｍ〜１０．０ｍｍの範囲内の外径を有する。第１の内径は、（螺旋ねじ山１２４の）外径未満である。例として、図７から図９に示される骨ねじ１１０の頭部１１２は、幅広い基部１２８で約４．５ｍｍの内径、及び約５．０ｍｍの外径を有する。円錐台形状の結果として、頭部１１２は、近位から遠位の方向に拡大する内径を有する。外径は一定のまま留まり、結果として、骨と接触するねじ山表面積は遠位から近位の方向に拡大し、骨の中へのねじの増力を強化する。
【００６５】
頭部１１２は、角度のある面１３４（同様に、「斜角面」または「ベベル」）と、ドライバー凹部１３６とをさらに含む。角度のある面１３４は、上面１３２と外側面１２２との間に形成される。上面１３２は、頭部の直径に沿って測定されるとゼロより大きい幅広い寸法を有し、角度のある面１３４がねじ１１０の上部全体に完全に広がらないことを確実にする。本例では、上面１３２は０．６５ｍｍの幅寸法を有するが、幅寸法は、骨ねじ１１０の全体的なサイズに応じてより多い場合もあれば、より少ない場合もある。例として、角度のある面１３４は、長手方向軸Ｌ２に対して概して垂直である、上面１３２の平面から測定された１〜６０°の範囲内のベベル角
【数３】
2022500220.tif 000005
を有する場合がある。例として、図７から図９に示される骨ねじ１１０のベベル角
【数４】
2022500220.tif 000006
は、５０°である。角度のある面１３４は、頭部が使用中に移植され、それによって骨ねじ１１０が骨構造に対して斜めに移植されるときに骨の外面を越えて頭部が延びる程度を削減または排除するときに、解剖学的標的部位の一部を形成する骨の外面に概して平行及び同一平面上に配置される。ドライバー凹部１３６は、長手方向軸Ｌ２に沿って上面１３２及び角度のある面１３４の中に形成され、ドライバー（例えば、マイナス、プラス、ヘクサローブ、トルクスなど）を受け入れるために適した任意の形状を有する場合がある。螺旋状ねじ山１２４は、０．５ｍｍ〜２．５ｍｍの範囲内のピッチ１３８を有する場合がある。例として、本例の螺旋ねじ山１２４は、１．５ｍｍのピッチを有する。
【００６６】
例として、シャンク１１４は円筒形の形状であり、骨ねじ１１０のネック１１６に隣接した近端部から末端部１２０に延びる。シャンク１１４は、湾曲した外側面１４２と、湾曲した外側面１４２の周りに配置された１対の螺旋ねじ山１４４ａ、１４４ｂとを含む。シャンク１１４は、１．０ｍｍ〜７．５ｍｍの範囲内の内径、及び１．５ｍｍ〜８ｍｍの範囲内の外径を有する場合がある。好ましくは、シャンク１１４の外径は、頭部１１２の外径未満である。本明細書に示し、説明する例では、シャンク１１４は、３ｍｍの内径、及び約４ｍｍの外径を有する。螺旋ねじ山１４４ａ、１４４ｂは、０．５ｍ〜５．０ｍｍの範囲内のピッチ１４６を有する場合がある。例として、本例の螺旋ねじ山１４４ａ、１４４ｂは、各々、３．０ｍｍのピッチ（例えば、同じ螺旋の隣接するねじ山間の距離）を有するが、均等に離間した２つの螺旋ねじ山１４４ａ、１４４ｂがあり、頭部１１２の螺旋ねじ山１２４のピッチと同じである骨ねじ１１０の有効ピッチを１．５ｍｍにする。骨ねじ１１０は、シャンクねじ山で二重螺旋構成を使用するため、骨ねじ１１０は、１．５ｍｍの真のピッチを有する骨ねじを用いる場合の約２倍速い速度で標的骨の中に打ち込むことができる。頭部１１２及びシャンク１１４は、同じピッチ（つまり、有効ピッチ）を有するため、骨ねじ１１０は圧縮中性である。シャンク１１４は、末端部１２０に配置された１つ以上の切削縦溝をさらに含む。切削縦溝１４８は、ねじ１１０が骨の中に打ち込まれるにつれて骨材料を取り除くように働き、これにより外科的処置中に下穴を開ける必要性がなくなる。
【００６７】
ネック１１６は、逆円錐頭部１１２とシャンク１１４との間で滑らかな遷移を与えるために、遠位方向に先細になる湾曲した外側面１５０を含む。
【００６８】
骨ねじ１１０は、骨ねじ１０に関して上記に示され、説明された中心管腔５２と同様に、ねじ１１０の全体を通って軸方向に延びる中心管腔をさらに含む。中心管腔１５２はそれを通るガイドワイヤ（例えば、Ｋワイヤ）を受け入れるようなサイズに作られ、構成されて、骨ねじ１１０を正しい移植場所に誘導する。
【００６９】
図１０〜図１２は、本開示の別の実施形態に係る骨ねじ２１０の例を示す。例として、骨ねじ２１０は、頭部２１２と、シャンク２１４と、頭部２１２とシャンク２１４との間に配置されたネック２１６とを含む。骨ねじ２１０は、近端部２１８と、末端部２２０とをさらに含む。頭部２１２は、骨ねじ２１０の近端部２１８に／近端部２１８の近くに配置され、シャンク２１４は、骨ねじ２１０のネック２１６から末端部２２０へ長手方向軸Ｌ３（同様に「垂直軸」）に沿って軸方向に延びる。頭部２１２は、湾曲した外側面２２２と、湾曲した外側面２２２の周りに配置された螺旋ねじ山２２４とを含む。頭部２１２は、概して円筒形の形状を有する。螺旋ねじ山２２４は、遠位から近位の方向に拡大する外径を有する。結果として、骨と接触するねじ山表面積は、遠位から近位の方向に拡大し、骨の中へのねじの増力を強化する。
【００７０】
頭部２１２は、角度のある面２３４（同様に、「斜角面」または「ベベル」）と、ドライバー凹部２３６とをさらに含む。角度のある面２３４は、上面２３２と外側面２２２との間に形成される。上面２３２は、頭部の直径に沿って測定されるとゼロより大きい幅広い寸法を有し、角度のある面２３４がねじ２１０の上部全体に完全に広がらないことを確実にする。本例では、上面２３２は０．６５ｍｍの幅寸法を有するが、幅寸法は、骨ねじ２１０の全体的なサイズに応じてより多い場合もあれば、より少ない場合もある。例として、角度のある面２３４は、長手方向軸Ｌ３に対して概して垂直である、上面２３２の平面から測定された１〜６０°の範囲内のベベル角
【数５】
2022500220.tif 000007
を有する場合がある。例として、図１０から図１２に示される骨ねじ２１０のベベル角
【数６】
2022500220.tif 000008
は、５０°である。角度のある面２３４は、頭部が使用中に移植され、それによって骨ねじ２１０が骨構造に対して斜めに移植されるときに骨の外面を越えて頭部が延びる程度を削減または排除するときに、解剖学的標的部位の一部を形成する骨の外面に概して平行及び同一平面上に配置される。ドライバー凹部２３６は、長手方向軸Ｌ３に沿って上面２３２及び角度のある面２３４の中に形成され、ドライバー（例えば、マイナス、プラス、ヘクサローブ、トルクスなど）を受け入れるために適した任意の形状を有する場合がある。
【００７１】
螺旋ねじ山２２４は、０．５ｍｍ〜２．５ｍｍの範囲内のピッチ２３８（例えば、任意の1つの場所での隣接するねじ山間の距離）を有する場合がある。例として、本例の螺旋ねじ山２２４は、１．５ｍｍピッチを有する。ねじ山２２４は、近端部２１８での外径が、ネック２１６の近くの外径よりも大きくなるように、１０°（例えば）の近接して配向された外向きテーパー２２５を有し、結果として骨と接触する螺旋ねじ山２２４の表面積が遠位から近位の方向に拡大し、骨の中へのねじの増力を強化する。
【００７２】
例として、シャンク２１４は円筒形の形状であり、骨ねじ２１０のネック２１６に隣接する近端部から末端部２２０へ延びる。シャンク２１４は、湾曲した外側面２４２と、湾曲した外側面２４２の周りに配置された螺旋ねじ山２４４とを含む。シャンク２１４は、１．０ｍｍ〜７．５ｍｍの範囲内の内径、及び１．５ｍｍ〜８ｍｍの範囲内の外径を有する場合がある。好ましくは、シャンク２１４の外径は、頭部２１２の外径未満である。本明細書に示され、説明される例では、シャンク２１４は、３ｍｍの内径、及び約４ｍｍの外径を有する。螺旋ねじ山２４４は、０．５ｍｍ〜２．５ｍｍの範囲内のピッチ２４６を有する場合がある。例として、本例の螺旋ねじ山２４４は、頭部２１２の螺旋ねじ山２２４のピッチと同じである、１．５ｍｍのピッチを有する。頭部２１２及びシャンク２１４は同じピッチを有するため、骨ねじ２１０は、圧縮中性である。シャンク２１４は、末端部２２０に配置された１つ以上の切削縦溝２４８をさらに含む。切削縦溝２４８は、ねじ２１０が骨の中に打ち込まれるにつれて骨材料を取り除くように働き、これにより外科的処置中に下穴を開ける必要性がなくなる。
【００７３】
ネック２１６は、逆円錐頭部２１２とシャンク２１４との間で滑らかな遷移を与えるために、遠位方向に先細になる湾曲した外側面２５０を含む。
【００７４】
骨ねじ２１０は、骨ねじ１０に関して上記に示され、説明された中心管腔５２と同一の、ねじ２１０の全体を通って軸方向に延びる中心管腔をさらに含む。中心管腔はそれを通るガイドワイヤ（例えば、Ｋワイヤ）を受け入れて、骨ねじ２１０を正しい移植場所に誘導するようなサイズに作られ、構成される。
【００７５】
図１３から図１５は、本開示の別の実施形態に係る骨ねじ３１０の例を示す。例として、骨ねじ３１０は、頭部３１２と、シャンク３１４と、頭部３１２とシャンク３１４との間に配置されたネック３１６とを含む。骨ねじ３１０は、近端部３１８と、末端部３２０とをさらに含む。頭部３１２は、骨ねじ３１０の近端部３１８に／近端部３１８の近くに配置され、シャンク３１４は、骨ねじ３１０のネック３１６から末端部３２０へ長手方向軸Ｌ４（同様に「垂直軸」）に沿って軸方向に延びる。頭部３１２は、湾曲した外側面３２２と、湾曲した外側面３２２の周りに配置された螺旋ねじ山３２４とを含む。頭部３１２は、骨ねじ１０に関して上述されたように、逆円錐台断面形状３２６を有する。湾曲した外側面３２２は、幅広い基部３２８から狭い基部３３０へ近位方向に先細になる。例として、湾曲した外側面３２２は、長手方向軸Ｌ４に対して５．９°の角度Ａ４で先細になる（１１．８°の傾斜角を有する頭部の形状を画定する円錐を生じさせる）が、角度Ａ４は、本開示の範囲から逸脱することなく４〜１５°（８〜３０°を含めた角度）の範囲内である場合がある。
【００７６】
頭部３１２は、幅広い端部で３２８で１．７５ｍｍ〜９．０ｍｍの範囲内の内径を有する場合がある。頭部３１２は、２．０ｍｍ〜１０．０ｍｍの範囲内の外径を有する。第１の内径は、（螺旋ねじ山３２４の）外径未満である。例として、図１３から図１５に示される骨ねじ３１０の頭部３１２は、幅広い基部３２８で約４．５ｍｍの内径、及び約５．０ｍｍの外径を有する。円錐台形状の結果として、頭部３１２は、近位から遠位の方向に拡大する内径を有する。外径は一定のまま留まり、結果として、骨と接触するねじ山表面積は遠位から近位の方向に拡大し、骨の中へのねじの増力を強化する。
【００７７】
頭部３１２は、角度のある面３３４（同様に、「斜角面」または「ベベル」）と、ドライバー凹部３３６とをさらに含む。角度のある面３３４は、上面３３２と外側面３２２との間に形成される。上面３３２は、頭部の直径に沿って測定されるとゼロより大きい幅広い寸法を有し、角度のある面３３４がねじ３１０の上部全体に完全に広がらないことを確実にする。本例では、上面３３２は０．６５ｍｍの幅寸法を有するが、幅寸法は、骨ねじ３１０の全体的なサイズに応じてより多い場合もあれば、より少ない場合もある。例として、角度のある面３３４は、長手方向軸Ｌ１に対して概して垂直である、上面３３２の平面から測定された１〜６０°の範囲内のベベル角
【数７】
2022500220.tif 000009
を有する場合がある。例として、図１３から図１５に示される骨ねじ３１０のベベル角
【数８】
2022500220.tif 000010
は、５０°である。角度のある面３３４は、頭部が使用中に移植され、それによって骨ねじ３１０が骨構造に対して斜めに移植されるときに骨の外面を越えて頭部が延びる程度を削減または排除するときに、解剖学的標的部位の一部を形成する骨の外面に概して平行及び同一平面上に配置される。ドライバー凹部３３６は、長手方向軸Ｌ４に沿って上面３３２の中に形成され、ドライバー（例えば、マイナス、プラス、ヘクサローブ、トルクスなど）を受け入れるために適した任意の形状を有する場合がある。
【００７８】
螺旋ねじ山３２４は、頭部３１２の末端部で０．５ｍｍ〜２．５ｍｍの範囲内、及び頭部の近端部で１．０ｍｍ〜５．０ｍｍの範囲内の可変ピッチを有する場合がある。例として、本例の螺旋ねじ山３２４は、頭部の末端部で０．７５ｍｍのピッチ３３８ｂまで徐々に減少する、頭部３１２の近端部で１．５ｍｍのピッチ３１８ａを有する。螺旋ねじ山３２４の少なくとも一部分は、シャンクねじ山３４４の通過によって骨の中に形成されたねじ山溝の外側になるため、この段階的なピッチの結果として、骨ねじ３１０は圧縮ねじである。頭部３１２は、螺旋ねじ山３２４の末端部に形成された切削縦溝をさらに含む場合があり、これは、シャンク３１４から頭部３１２への遷移を容易にするために、ねじ３１０が骨の中に打ち込まれるにつれて骨材料を取り除くように働く。
【００７９】
例として、シャンク３１４は円筒形の形状であり、骨ねじ３１０のネック３１６に隣接する近端部から末端部３２０に延びる。シャンク３１４は、湾曲した外側面３４２と、湾曲した外側面３４２の周りに配置された螺旋ねじ山３４４とを含む。シャンク３１４は、１．０ｍｍ〜７．５ｍｍの範囲内の内径、及び１．５ｍｍ〜８ｍｍの範囲内の外径を有する場合がある。好ましくは、シャンク３１４の外径は、頭部３１２の外径未満である。本明細書に示され、説明される例では、シャンク３１４は、３ｍｍの内径、及び約４ｍｍの外径を有する。螺旋ねじ山３４４は、０．５ｍｍ〜２．５ｍｍの範囲内のピッチ３４６を有する場合がある。例として、本例の螺旋ねじ山３４４は、１．５ｍｍのピッチを有する。シャンク３１４は、末端部３２０に配置された１つ以上の切削縦溝３４８をさらに含む。切削縦溝３４８は、ねじ３１０が骨の中に打ち込まれるにつれて骨材料を取り除くように働き、これにより外科的処置中に下穴を開ける必要性がなくなる。
【００８０】
ネック３１６は、逆円錐頭部３１２とシャンク３１４との間で滑らかな遷移を与えるために、遠位方向に先細になる湾曲した外側面３５０を含む。
【００８１】
骨ねじ３１０は、骨ねじ３１０に関して上記に示され、説明された中心管腔と同一の、ねじ３１０の全体を通って軸方向に延びる中心管腔をさらに含む。中心管腔はそれを通るガイドワイヤ（例えば、Ｋワイヤ）を受け入れて、骨ねじ３１０を正しい移植場所に誘導するようなサイズに作られ、構成される。
【００８２】
図１６から図１８は、本開示の別の実施形態に係る骨ねじ４１０の例を示す。例として、骨ねじ４１０は、頭部４１２と、シャンク４１４と、頭部４１２とシャンク４１４との間に配置されたネック４１６とを含む。骨ねじ４１０は、近端部４１８と、末端部４２０とをさらに含む。頭部４１２は、骨ねじ４１０の近端部４１８に／近端部４１８の近くに配置され、シャンク４１４は、骨ねじ４１０のネック４１６から末端部４２０へ長手方向軸Ｌ５（同様に「垂直軸」）に沿って軸方向に延びる。頭部４１２は、湾曲した外側面４２２と、湾曲した外側面４２２の周りに配置された螺旋ねじ山４２４とを含む。頭部４１２は、骨ねじ１０に関して上述されたように、逆円錐台断面形状４２６を有する。湾曲した外側面４２２は、幅広い基部４２８から狭い基部４３０へ近位方向に先細になる。例として、湾曲した外側面４２２は、長手方向軸Ｌ５に対して５．９°の角度Ａ５で先細になる（１１．８°の傾斜角を有する頭部の形状を画定する円錐を生じさせる）が、角度Ａ５は、本開示の範囲から逸脱することなく４〜１５°（８〜３０°を含めた角度）の範囲内である場合がある。
【００８３】
頭部４１２は、幅広い基部４２８で１．７５ｍｍ〜９．０ｍｍの範囲内の内径を有する場合がある。頭部４１２は、２．０ｍｍ〜１０．０ｍｍの範囲内の外径を有する。第１の内径は、（螺旋ねじ山４２４の）外径未満である。例として、図１６から図１８に示される骨ねじ４１０の頭部４１２は、幅広い基部４２８で約４．５ｍｍの内径、及び約５．０ｍｍの外径を有する。円錐台形状の結果として、頭部４１２は、近位から遠位の方向に拡大する内径を有する。外径は一定のまま留まり、結果として、骨と接触するねじ山表面積は遠位から近位の方向に拡大し、骨の中へのねじの増力を強化する。
【００８４】
頭部４１２は、角度のある面４３４（同様に、「斜角面」または「ベベル」）と、ドライバー凹部４３６とをさらに含む。角度のある面４３４は、上面４３２と外側面４２２との間に形成される。上面４３２は、頭部の直径に沿って測定されるとゼロより大きい幅広い寸法を有し、角度のある面４３４がねじ４１０の上部全体に完全に広がらないことを確実にする。本例では、上面４３２は０．６５ｍｍの幅寸法を有するが、幅寸法は、骨ねじ４１０の全体的なサイズに応じてより多い場合もあれば、より少ない場合もある。例として、角度のある面４３４は、長手方向軸Ｌ１に対して概して垂直である、上面４３２の平面から測定された１〜６０°の範囲内のベベル角
【数９】
2022500220.tif 000011
を有する場合がある。例として、図１６から図１８に示される骨ねじ４１０のベベル角
【数１０】
2022500220.tif 000012
は、５０°である。角度のある面４３４は、頭部が使用中に移植され、それによって骨ねじ４１０が骨構造に対して斜めに移植されるときに骨の外面を越えて頭部が延びる程度を削減または排除するときに、解剖学的標的部位の一部を形成する骨の外面に概して平行及び同一平面上に配置される。ドライバー凹部４３６は、長手方向軸Ｌ５に沿って上面４３２及び角度のある面４３４の中に形成され、ドライバー（例えば、マイナス、プラス、ヘクサローブ、トルクスなど）を受け入れるために適した任意の形状を有する場合がある。
【００８５】
螺旋ねじ山４２４は、０．５ｍｍ〜２．５ｍｍの範囲内のピッチ４３８を有する場合がある。例として、本例の螺旋ねじ山４２４は、０．７５ｍｍのピッチを有する。頭部４１２は、螺旋ねじ山４２４の末端部に形成された切削縦溝４４０をさらに含む場合があり、これは、シャンク４１４から頭部４１２への遷移を容易にするために、ねじ４１０が骨の中に打ち込まれるにつれて骨材料を取り除くように働く。
【００８６】
例として、シャンク４１４は円筒形の形状であり、骨ねじ４１０のネック４１６に隣接する近端部から末端部４２０に延びる。シャンク４１４は、湾曲した外側面４４２と、湾曲した外側面４４２の周りに配置された螺旋ねじ山４４４とを含む。シャンク４１４は、１．０ｍｍ〜７．５ｍｍの範囲内の内径、及び１．５ｍｍ〜８ｍｍの範囲内の外径を有する場合がある。好ましくは、シャンク４１４の外径は、頭部４１２の外径未満である。本明細書に示され、説明される例では、シャンク４１４は、３ｍｍの内径、及び約４ｍｍの外径を有する。螺旋ねじ山４４４は、０．５ｍｍ〜２．５ｍｍの範囲内のピッチ４４６を有する場合がある。例として、本例の螺旋ねじ山４４４は、１．５ｍｍのピッチを有する。シャンク４１４のピッチ４４６は、頭部４１２のピッチ４３８の偶数倍（例えば、２ｘ）であるので、骨ねじ４１０は圧縮中性である。シャンク４１４は、末端部４２０に配置された１つ以上の切削縦溝４４８をさらに含む。切削縦溝４４８は、ねじ４１０が骨の中に打ち込まれるにつれて骨材料を取り除くように働き、これにより外科的処置中に下穴を開ける必要性がなくなる。
【００８７】
ネック４１６は、逆円錐頭部４１２とシャンク４１４との間で滑らかな遷移を与えるために、遠位方向に先細になる湾曲した外側面４５０を含む。
【００８８】
図１９から図２１は、本開示の別の実施形態に係る骨ねじ５１０の例を示す。例として、骨ねじ５１０は、頭部５１２と、シャンク５１４と、頭部５１２とシャンク５１４との間に配置されたネック５１６とを含む。骨ねじ５１０は、近端部５１８と、末端部５２０とをさらに含む。頭部５１２は、骨ねじ５１０の近端部５１８に／近端部５１８の近くに配置され、シャンク５１４は、骨ねじ５１０のネック５１６から末端部５２０へ長手方向軸Ｌ６（同様に「垂直軸」）に沿って軸方向に延びる。頭部５１２は、湾曲した外側面５２２と、湾曲した外側面５２２の周りに配置された螺旋ねじ山５２４とを含む。頭部５１２は、骨ねじ１０に関して上述されたように、逆円錐台断面形状５２６を有する。湾曲した外側面５２２は、幅広い基部５２８から狭い基部５３０へ近位方向に先細になる。例として、湾曲した外側面５２２は、長手方向軸Ｌ５に対して５．９°の角度Ａ５で先細になる（１１．８°の傾斜角を有する頭部の形状を画定する円錐を生じさせる）が、角度Ａ５は、本開示の範囲から逸脱することなく４〜１５°（８〜３０°を含めた角度）の範囲内である場合がある。
【００８９】
頭部５１２は、幅広い基部５２８で１．７５ｍｍ〜９．０ｍｍの範囲内の内径を有する場合がある。頭部５１２は、２．０ｍｍ〜１０．０ｍｍの範囲内の外径を有する。第１の内径は、（螺旋ねじ山５２４の）外径未満である。例として、図１９から図２１に示される骨ねじ５１０の頭部５１２は、幅広い基部５２８で約４．５ｍｍの内径、及び約５．０ｍｍの外径を有する。円錐台形状の結果として、頭部５１２は、近位から遠位の方向に拡大する内径を有する。外径は一定のまま留まり、結果として、骨と接触するねじ山表面積は遠位から近位の方向に拡大し、骨の中へのねじの増力を強化する。
【００９０】
頭部５１２は、角度のある面５３４（同様に、「斜角面」または「ベベル」）と、ドライバー凹部５３６とをさらに含む。角度のある面５３４は、上面５３２と外側面５２２との間に形成される。上面５３２は、頭部の直径に沿って測定されるとゼロより大きい幅広い寸法を有し、角度のある面５３４がねじ５１０の上部全体に完全に広がらないことを確実にする。本例では、上面５３２は０．６５ｍｍの幅寸法を有するが、幅寸法は、骨ねじ５１０の全体的なサイズに応じてより多い場合もあれば、より少ない場合もある。例として、角度のある面５３４は、長手方向軸Ｌ６に対して概して垂直である、上面５３２の平面から測定された１〜６０°の範囲内のベベル角
【数１１】
2022500220.tif 000013
を有する場合がある。例として、図１９から図２１に示される骨ねじ５１０のベベル角
【数１２】
2022500220.tif 000014
は、５０°である。角度のある面５３４は、頭部が使用中に移植され、それによって骨ねじ５１０が骨構造に対して斜めに移植されるときに骨の外面を越えて頭部が延びる程度を削減または排除するときに、解剖学的標的部位の一部を形成する骨の外面に概して平行及び同一平面上に配置される。ドライバー凹部５３６は、長手方向軸Ｌ６に沿って上面５３２及び角度のある面５３４の中に形成され、ドライバー（例えば、マイナス、プラス、ヘクサローブ、トルクスなど）を受け入れるために適した任意の形状を有する場合がある。
【００９１】
螺旋ねじ山５２４は、０．５ｍｍ〜２．５ｍｍの範囲内のピッチ５３８を有する場合がある。例として、本例の螺旋ねじ山５２４は、１．５ｍｍのピッチを有する。頭部５１２は、螺旋ねじ山５２４の末端部に形成された切削縦溝５４０をさらに含む場合があり、これは、シャンク５１４から頭部５１２への遷移を容易にするために、ねじ５１０が骨の中に打ち込まれるにつれて骨材料を取り除くように働く。
【００９２】
例として、シャンク５１４は円筒形の形状であり、骨ねじ５１０のネック５１６に隣接する近端部から末端部５２０に延びる。シャンク５１４は、湾曲した外側面５４２と、湾曲した外側面５４２の周りに配置された１対の螺旋ねじ山５４４ａ、５４４ｂとを含む。シャンク５１４は、１．０ｍｍ〜７．５ｍｍの範囲内の内径、及び１．５ｍｍ〜８ｍｍの範囲内の外径を有する場合がある。好ましくは、シャンク５１４の外径は、頭部５１２の外径未満である。本明細書に示され、説明される例では、シャンク５１４は、３ｍｍの内径、及び約４ｍｍの外径を有する。螺旋ねじ山５４４ａ、５４４ｂは、０．５ｍｍ〜５．５ｍｍの範囲内のピッチ５４６を有する場合がある。例として、本例の螺旋ねじ山５４４ａ、５４４ｂは、各々、３．０ｍｍのピッチ（例えば、同じ螺旋の隣接するねじ山間の距離）を有するが、均等に離間された２つの螺旋ねじ山５４４ａ、５４４ｂがあり、骨ねじ５１０の有効ピッチを、頭部５１２の螺旋ねじ山５２４のピッチと同じである１．５ｍｍにする。骨ねじ５１０は、シャンクねじ山において二重螺旋構成を使用するため、骨ねじ５１０は、１．５ｍｍの真のピッチを有する骨ねじでの場合の約２倍速い速度で標的骨の中に打ち込むことができる。頭部５１２及びシャンク５１４は同じピッチ（つまり、有効ピッチ）を有するため、骨ねじ５１０は圧縮中性である。シャンク５１４は、末端部５２０に配置された１つ以上の切削縦溝５４８をさらに含む。切削縦溝５４８は、ねじ５１０が骨の中に打ち込まれるにつれて骨材料を取り除くように働き、これにより外科的処置中に下穴を開ける必要性がなくなる。
【００９３】
ネック５１６は、逆円錐頭部５１２とシャンク５１４との間で滑らかな遷移を与えるために、遠位方向に先細になる湾曲した外側面５５０を含む。
【００９４】
骨ねじ５１０は、骨ねじ１０に関して上記に示され、説明された中心管腔５２に類似した、ねじ５１０の全体を通って軸方向に延びる中心管腔をさらに含む。中心管腔５５２はそれを通るガイドワイヤ（例えば、Ｋワイヤ）を受け入れて、骨ねじ５１０を正しい移植場所に誘導するようなサイズに作られ、構成される。
【００９５】
図２２から図２４は、本開示の別の実施形態に係る骨ねじ６１０の例を示す。例として、骨ねじ６１０は、頭部６１２と、シャンク６１４と、頭部６１２とシャンク６１４との間に配置されたネック６１６とを含む。骨ねじ６１０は、近端部６１８と、末端部６２０とをさらに含む。頭部６１２は、骨ねじ６１０の近端部６１８に／近端部６１８の近くに配置され、シャンク６１４は、骨ねじ６１０のネック６１６から末端部６２０へ長手方向軸Ｌ７（同様に「垂直軸」）に沿って軸方向に延びる。頭部６１２は、湾曲した外側面６２２と、湾曲した外側面６２２の周りに配置された螺旋ねじ山６２４とを含む。頭部６１２は、骨ねじ１０に関して上述されたように、逆円錐台断面形状６２６を有する。湾曲した外側面６２２は、幅広い基部６２８から狭い基部６３０へ近位方向に先細になる。例として、湾曲した外側面６２２は、長手方向軸Ｌ７に対して５．９°の角度Ａ７で先細になる（１１．８°の傾斜角を有する頭部の形状を画定する円錐を生じさせる）が、角度Ａ７は、本開示の範囲から逸脱することなく４〜１５°（８〜３０°を含めた角度）の範囲内である場合がある。
【００９６】
頭部６１２は、幅広い基部４２８での１．７５ｍｍ〜９．０ｍｍの範囲内の内径、及び２．０ｍｍ〜１０．０ｍｍの範囲内の外径を有する場合がある。第１の内径は、（螺旋ねじ山６２４の）外径未満である。例として、図２２から図２４に示される骨ねじ６１０の頭部６１２は、幅広い基部６２８で約４．５ｍｍの内径、及び約５．０ｍｍの外径を有する。円錐台形状の結果として、頭部６１２は、近位から遠位の方向に拡大する内径を有する。ねじ山６２４は、近端部６１８での外径がネック６１６に近い外径よりも大きくなり、結果として（及び頭部６１２の逆円錐台形状との組み合わせで）骨と接触する螺旋ねじ山６２４の表面積が遠位から近位の方向に拡大し、骨の中へのねじの増力を強化するように、約１０°（例えば、５〜３０°の範囲内）のテーパー角Ｂ７を有する近接して配向された外向きテーパー６２５を有する。本例の実施形態では、頭部６１２の逆円錐台形状及びねじ６２４の外向きテーパー６２５の組み合わせ（例えば、角度Ａ７＋Ｂ７）は、骨と接触するねじ山６２４の表面積を最大限にする。
【００９７】
頭部６１２は、角度のある面６３４（同様に、「斜角面」または「ベベル」）と、ドライバー凹部６３６とをさらに含む。角度のある面６３４は、上面６３２と外側面６２２との間に形成される。上面６３２は、頭部の直径に沿って測定されるとゼロより大きい幅広い寸法を有し、角度のある面６３４がねじ６１０の上部全体に完全に広がらないことを確実にする。本例では、上面６３２は０．６５ｍｍの幅寸法を有するが、幅寸法は、骨ねじ６１０の全体的なサイズに応じてより多い場合もあれば、より少ない場合もある。例として、角度のある面６３４は、長手方向軸Ｌ７に対して概して垂直である、上面６３２の平面から測定された１〜６０°の範囲内のベベル角
【数１３】
2022500220.tif 000015
を有する場合がある。例として、図２２から図２４に示される骨ねじ６１０のベベル角
【数１４】
2022500220.tif 000016
は、５０°である。角度のある面６３４は、頭部が使用中に移植され、それによって骨ねじ６１０が骨構造に対して斜めに移植されるときに骨の外面を越えて頭部が延びる程度を削減または排除するときに、解剖学的標的部位の一部を形成する骨の外面に概して平行及び同一平面上に配置される。ドライバー凹部６３６は、長手方向軸Ｌ７に沿って上面６３２及び角度のある面６３４の中に形成され、ドライバー（例えば、マイナス、プラス、ヘクサローブ、トルクスなど）を受け入れるために適した任意の形状を有する場合がある。螺旋ねじ山６２４は、０．５ｍｍ〜２．５ｍｍの範囲内のピッチ６３８を有する場合がある。例として、本例の螺旋ねじ山６２４は、０．７５ｍｍのピッチを有する。
【００９８】
例として、シャンク６１４は円筒形の形状であり、骨ねじ６１０のネック６１６に隣接する近端部から末端部６２０に延びる。シャンク６１４は、湾曲した外側面６４２と、湾曲した外側面６４２の周りに配置された螺旋ねじ山６４４とを含む。シャンク６１４は、１．０ｍｍ〜７．５ｍｍの範囲内の内径、及び１．５ｍｍ〜８ｍｍの範囲内の外径を有する場合がある。好ましくは、シャンク６１４の外径は、頭部６１２の外径未満である。本明細書に示され、説明される例では、シャンク６１４は、３ｍｍの内径、及び約４ｍｍの外径を有する。螺旋ねじ山６４４は、０．５ｍｍ〜２．５ｍｍの範囲内のピッチ６４６を有する場合がある。例として、本例の螺旋ねじ山６４４は、頭部６１２の螺旋ねじ山６２４のピッチと同じである１．５ｍｍのピッチを有する。頭部６１２及びシャンク６１４は同じピッチを有するため、骨ねじ６１０は圧縮中性である。シャンク６１４は、末端部６２０に配置された１つ以上の切削縦溝６４８をさらに含む。切削縦溝６４８は、ねじ６１０が骨の中に打ち込まれるにつれて骨材料を取り除くように働き、これにより外科的処置中に下穴を開ける必要性がなくなる。
【００９９】
ネック６１６は、逆円錐頭部６１２とシャンク６１４との間で滑らかな遷移を与えるために、遠位方向に先細になる湾曲した外側面６５０を含む。
【０１００】
骨ねじ６１０は、骨ねじ１０に関して上記に示され、説明された中心管腔５２と同一の、ねじ６１０の全体を通って軸方向に延びる中心管腔をさらに含む。中心管腔はそれを通るガイドワイヤ（例えば、Ｋワイヤ）を受け入れて、骨ねじ６１０を正しい移植場所に誘導するようなサイズに作られ、構成される。
【０１０１】
図２５から図２７は、本開示の別の実施形態に係る骨ねじ７１０の例を示す。例として、骨ねじ７１０は、頭部７１２と、シャンク７１４と、頭部７１２とシャンク７１４との間に配置されたネック７１６とを含む。骨ねじ７１０は、近端部７１８と、末端部７２０とをさらに含む。頭部７１２は、骨ねじ７１０の近端部７１８に／近端部７１８の近くに配置され、シャンク７１４は、骨ねじ７１０のネック７１６から末端部７２０へ長手方向軸Ｌ８（同様に「垂直軸」）に沿って軸方向に延びる。頭部７１２は、湾曲した外側面７２２と、湾曲した外側面７２２の周りに配置された螺旋ねじ山７２４とを含む。頭部７１２は、骨ねじ１０に関して上述されたように、逆円錐台断面形状７２６を有する。湾曲した外側面２２は、幅広い基部２８から狭い基部３０へ近位方向に先細になる。例として、湾曲した外側面２２は、長手方向軸Ｌ１に対して５．９°の角度Ａ１で先細になる（１１．８°の傾斜角を有する頭部の形状を画定する円錐を生じさせる）が、角度Ａ１は、本開示の範囲から逸脱することなく４〜１５°（８〜３０°を含めた角度）の範囲内である場合がある。
【０１０２】
頭部７１２は、幅広い基部７２８での１．７５ｍｍ〜９．０ｍｍの範囲内の内径、及び２．０ｍｍ〜１０．０ｍｍの範囲内の外径を有する場合がある。第１の内径は、（螺旋ねじ山７２４の）外径未満である。例として、図２５から図２７に示される骨ねじ７１０の頭部７１２は、幅広い基部７２８での約４．５ｍｍの内径、及び約５．０ｍｍの外径を有する。円錐台形状の結果として、頭部７１２は、近位から遠位の方向に拡大する内径を有する。ねじ山７２４は、近端部７１８の外径がネック７１６に近い外径よりも大きくなり、結果として（及び頭部７１２の逆円錐台形状との組み合わせで）骨と接触する螺旋ねじ山７２４の表面積が遠位から近位の方向に拡大し、骨の中へのねじの増力を強化するように、１０°（例えば）の近接して配向された外向きテーパー７２５を有する。
【０１０３】
頭部７１２は、角度のある面７３４（同様に、「斜角面」または「ベベル」）と、ドライバー凹部７３６とをさらに含む。角度のある面７３４は、上面７３２と外側面７２２との間に形成される。上面７３２は、頭部の直径に沿って測定されるとゼロより大きい幅広い寸法を有し、角度のある面７３４がねじ７１０の上部全体に完全に広がらないことを確実にする。本例では、上面７３２は０．６５ｍｍの幅寸法を有するが、幅寸法は、骨ねじ７１０の全体的なサイズに応じてより多い場合もあれば、より少ない場合もある。例として、角度のある面７３４は、長手方向軸Ｌ８に対して概して垂直である、上面７３２の平面から測定された１〜６０°の範囲内のベベル角
【数１５】
2022500220.tif 000017
を有する場合がある。例として、図２５から図２７に示される骨ねじ７１０のベベル角
【数１６】
2022500220.tif 000018
は、５０°である。角度のある面７３４は、頭部が使用中に移植され、それによって骨ねじ７１０が骨構造に対して斜めに移植されるときに骨の外面を越えて頭部が延びる程度を削減または排除するときに、解剖学的標的部位の一部を形成する骨の外面に概して平行及び同一平面上に配置される。ドライバー凹部７３６は、長手方向軸Ｌ８に沿って上面７３２及び角度のある面７３４の中に形成され、ドライバー（例えば、マイナス、プラス、ヘクサローブ、トルクスなど）を受け入れるために適した任意の形状を有する場合がある。螺旋ねじ山７２４は、０．５ｍｍ〜２．５ｍｍの範囲内のピッチ７３８を有する場合がある。例として、本例の螺旋ねじ山７２４は、０．７５ｍｍのピッチを有する。
【０１０４】
例として、シャンク７１４は円筒形の形状であり、骨ねじ７１０のネック７１６に隣接する近端部から末端部７２０に延びる。シャンク７１４は、湾曲した外側面７４２と、湾曲した外側面７４２の周りに配置された１対の螺旋ねじ山７４４ａ、７４４ｂとを含む。シャンク７１４は、１．０ｍｍ〜７．５ｍｍの範囲内の内径、及び１．５ｍｍ〜８ｍｍの範囲内の外径を有する場合がある。好ましくは、シャンク７１４の外径は、頭部７１２の外径未満である。本明細書に示され、説明される例では、シャンク７１４は、３ｍｍの内径、及び約４ｍｍの外径を有する。螺旋ねじ山７４４ａ、７４４ｂは、０．５ｍｍ〜５．５ｍｍの範囲内のピッチ７４６を有する場合がある。例として、本例の螺旋ねじ山７４４ａ、７４４ｂは、各々、３．０ｍｍのピッチ（例えば、同じ螺旋の隣接するねじ山間の距離）を有するが、均等に離間された２つの螺旋ねじ山７４４ａ、７４４ｂがあり、骨ねじ７１０の有効ピッチを、頭部７１２の螺旋ねじ山７２４のピッチと同じである１．５ｍｍにする。骨ねじ７１０は、シャンクねじ山において二重螺旋構成を使用するため、骨ねじ７１０は、１．５ｍｍの真のピッチを有する骨ねじでの場合の約２倍速い速度で標的骨の中に打ち込むことができる。シャンク７１４のピッチ７４６は、頭部７１２のピッチ７３８の偶数倍（例えば、２ｘ）であるので、骨ねじ７１０は圧縮中性である。シャンク７１４は、末端部７２０に配置された１つ以上の切削縦溝７４８をさらに含む。切削縦溝７４８は、ねじ７１０が骨の中に打ち込まれるにつれて骨材料を取り除くように働き、これにより外科的処置中に下穴を開ける必要性がなくなる。
【０１０５】
ネック７１６は、逆円錐頭部７１２とシャンク７１４との間で滑らかな遷移を与えるために、遠位方向に先細になる湾曲した外側面７５０を含む。
【０１０６】
骨ねじ７１０は、骨ねじ１０に関して上記に示され、説明された中心管腔５２に類似した、ねじ７１０の全体を通って軸方向に延びる中心管腔をさらに含む。中心管腔はそれを通るガイドワイヤ（例えば、Ｋワイヤ）を受け入れて、骨ねじ７１０を正しい移植場所に誘導するようなサイズに作られ、構成される。
【０１０７】
図２８から図３０は、本開示の別の実施形態に係る骨ねじ８１０の例を示す。例として、本明細書に説明される骨ねじ８１０は、骨ねじ８１０が極端な角度で移植されない状況で役立つ場合がある。骨ねじ８１０は、頭部８１２と、シャンク８１４と、頭部８１２とシャンク８１４との間に配置されたネック８１６とを含む。骨ねじ８１０は、近端部８１８と、末端部８２０とをさらに含む。頭部８１２は、骨ねじ８１０の近端部８１８に／近端部８１８の近くに配置され、シャンク８１４は、骨ねじ８１０のネック８１６から末端部８２０に長手方向軸Ｌ９（同様に「垂直軸」）に沿って軸方向に延びる。頭部８１２は、湾曲した外側面８２２と、湾曲した外側面８２２の周りに配置された螺旋ねじ山８２４とを含む。頭部８１２は、骨ねじ１０に関して上述されたように、逆円錐台断面形状８２６を有する。湾曲した外側面８２２は、幅広い基部８２８から狭い基部８３０へ近位方向に先細になる。例として、湾曲した外側面８２２は、長手方向軸Ｌ９に対して５．９°の角度Ａ９で先細になる（１１．８°の傾斜角を有する頭部の形状を画定する円錐を生じさせる）が、角度Ａ９は、本開示の範囲から逸脱することなく４〜１５°（８〜３０°を含めた角度）の範囲内である場合がある。
【０１０８】
頭部８１２は、幅広い基部８２８での１．７５ｍｍ〜９．０ｍｍの範囲内の内径、及び２．０ｍｍ〜１０．０ｍｍの範囲内の外径を有する場合がある。第１の内径は、（螺旋ねじ山８２４の）外径未満である。例として、図２８から図３０に示される骨ねじ８１０の頭部８１２は、幅広い基部８２８での約４．５ｍｍの内径、及び約５．０ｍｍの外径を有する。円錐台形状の結果として、頭部８１２は、近位から遠位の方向に拡大する内径を有する。外径は一定のまま留まり、結果として、骨と接触するねじ山表面積は遠位から近位の方向に拡大し、骨の中へのねじの増力を強化する。頭部８１２は、長手方向軸Ｌ９に沿って上面８３２に形成されたドライバー凹部８３６をさらに含み、ドライバー（例えば、マイナス、プラス、ヘクサローブ、トルクスなど）を受け入れるために適した任意の形状を有する場合がある。螺旋ねじ山８２４は、０．５ｍｍ〜２．５ｍｍの範囲内のピッチ８３８（例えば、任意の１つ場所での隣接するねじ山間の距離）を有する場合がある。例として、本例の螺旋ねじ山８２４は、１．５ｍｍのピッチを有する。
【０１０９】
本例の骨ねじ８１０は、「ベベル角」が０°である骨ねじの一例である。これにより平坦な頭部８１２が生じ、上面８３２及び角度のある面８３４は、基本的に同じ面である。
【０１１０】
例として、シャンク８１４は円筒形の形状であり、骨ねじ８１０のネック８１６に隣接する近端部から末端部６２０に延びる。シャンク８１４は、湾曲した外側面８４２と、湾曲した外側面８４２の周りに配置された螺旋ねじ山８４４とを含む。シャンク８１４は、１．０ｍｍ〜７．５ｍｍの範囲内の内径、及び１．５ｍｍ〜８ｍｍの範囲内の外径を有する場合がある。好ましくは、シャンク８１４の外径は、頭部８１２の外径未満である。本明細書に示され、説明される例では、シャンク８１４は、３ｍｍの内径、及び約４ｍｍの外径を有する。螺旋ねじ山８４４は、０．５ｍｍ〜２．５ｍｍの範囲内のピッチ８４６を有する場合がある。例として、本例の螺旋ねじ山８４４は、頭部８１２の螺旋ねじ山８２４のピッチと同じである１．５ｍｍのピッチを有する。頭部８１２及びシャンク８１４は同じピッチを有するため、骨ねじ８１０は圧縮中性である。シャンク８１４は、末端部８２０に配置された１つ以上の切削縦溝８４８をさらに含む。切削縦溝（複数可）８４８は、ねじ８１０が骨の中に打ち込まれるにつれて骨材料を取り除くように働き、これにより外科的処置中に下穴を開ける必要性がなくなる。
【０１１１】
ネック８１６は、逆円錐頭部８１２とシャンク８１４との間で滑らかな遷移を与えるために、遠位方向に先細になる湾曲した外側面８５０を含む。
【０１１２】
骨ねじ８１０は、ねじ８１０の全体を通って軸方向に延びる中心管腔をさらに含む。中心管腔はそれを通るガイドワイヤ（例えば、Ｋワイヤ）を受け入れて、骨ねじ８１０を正しい移植場所に誘導するようなサイズに作られ、構成される。
【０１１３】
図３１から図３３は、本開示の別の実施形態に係る骨ねじ９１０の例を示す。例として、骨ねじ９１０は、頭部９１２と、シャンク９１４と、頭部９１２とシャンク９１４との間に配置されたネック９１６とを含む。骨ねじ９１０は、近端部９１８と、末端部９２０とをさらに含む。頭部９１２は、骨ねじ９１０の近端部９１８に／近端部９１８の近くに配置され、シャンク９１４は、骨ねじ９１０のネック９１６から末端部９２０へ長手方向軸Ｌ１０（同様に「垂直軸」）に沿って軸方向に延びる。頭部９１２は、湾曲した外側面９２２と、湾曲した外側面９２２の周りに配置された螺旋ねじ山９２４とを含む。頭部９１２は、骨ねじ１０に関して上述されたように、逆円錐台断面形状９２６を有する。湾曲した外側面９２２は、幅広い基部９２８から狭い基部９３０へ近位方向に先細になる。例として、湾曲した外側面９２２は、長手方向軸Ｌ１０に対して５．９°の角度Ａ１０で先細になる（１１．８°の傾斜角を有する頭部の形状を画定する円錐を生じさせる）が、角度Ａ１０は、本開示の範囲から逸脱することなく４〜１５°（８〜３０°を含めた角度）の範囲内である場合がある。
【０１１４】
頭部９１２は、幅広い基部９２８での１．７５ｍｍ〜９．０ｍｍの範囲内の内径、及び２．０ｍｍ〜１０．０ｍｍの範囲内の外径を有する場合がある。第１の内径は、（螺旋ねじ山９２４の）外径未満である。例として、図３１から図３３に示される骨ねじ９１０の頭部９１２は、幅広い基部４２８での約４．５ｍｍの内径、及び約５．０ｍｍの外径を有する。円錐台形状の結果として、頭部９１２は、近位から遠位の方向に拡大する内径を有する。ねじ山９２４は、近端部９１８での外径がネック９１６に近い外径未満になるように、近接して配向された内向きテーパー９２５を有する。例として、ねじ山９２４の内向きテーパー９２５は、湾曲した外側面９２２のテーパーに平行である。したがって、ねじ山９２４は、長手方向軸Ｌ１０に対して５．９°の角度Ｂ１０で先細になるが、角度Ｂ１０は、本開示の範囲から逸脱することなく５〜１０°の範囲内である場合がある。
【０１１５】
頭部９１２は、角度のある面９３４（同様に、「斜角面」または「ベベル」）と、ドライバー凹部９３６とをさらに含む。角度のある面９３４は、上面９３２と外側面９２２との間に形成される。上面９３２は、頭部の直径に沿って測定されるとゼロより大きい幅広い寸法を有し、角度のある面９３４がねじ９１０の上部全体に完全に広がらないことを確実にする。本例では、上面９３２は０．６５ｍｍの幅寸法を有するが、幅寸法は、骨ねじ７１０の全体的なサイズに応じてより多い場合もあれば、より少ない場合もある。例として、角度のある面９３４は、長手方向軸Ｌ１０に対して概して垂直である、上面９３２の平面から測定された１〜６０°の範囲内のベベル角
【数１７】
2022500220.tif 000019
を有する場合がある。例として、図３１から図３５に示される骨ねじ９１０のベベル角
【数１８】
2022500220.tif 000020
は、５０°である。角度のある面９３４は、頭部が使用中に移植され、それによって骨ねじ９１０が骨構造に対して斜めに移植されるときに骨の外面を越えて頭部が延びる程度を削減または排除するときに、解剖学的標的部位の一部を形成する骨の外面に概して平行及び同一平面上に配置される。ドライバー凹部９３６は、長手方向軸Ｌ１０に沿って上面９３２及び角度のある面９３４の中に形成され、ドライバー（例えば、マイナス、プラス、ヘクサローブ、トルクスなど）を受け入れるために適した任意の形状を有する場合がある。
【０１１６】
螺旋ねじ山９２４は、０．５ｍｍ〜２．５ｍｍの範囲内のピッチ９３８を有する場合がある。例として、本例の螺旋ねじ山９２４は、０．８ｍｍのピッチを有する。頭部９１２は、螺旋ねじ山９２４の末端部に形成された切削縦溝９４０をさらに含む場合があり、これは、シャンク９１４から頭部９１２への遷移を容易にするために、ねじ９１０が骨の中に打ち込まれるにつれて骨材料を取り除くように働く。
【０１１７】
例として、シャンク９１４は円筒形の形状であり、骨ねじ９１０のネック９１６に隣接する近端部から末端部９２０に延びる。シャンク９１４は、湾曲した外側面９４２と、湾曲した外側面９４２の周りに配置された螺旋ねじ山９４４とを含む。シャンクは、圧縮を可能にするために、近接して配置されたねじ山のない部分９４５をさらに含む。例として、ねじ山のない部分９４５は、シャフトの長さの約３分の２を含み、末端の３分の１の長さにねじ山が付けられている。治療されている骨折の種類及び場所に応じて、他の構成も可能である。シャンク９１４は、１．０ｍｍ〜７．５ｍｍの範囲内の内径、及び１．５ｍｍ〜８ｍｍの範囲の外径を有する場合がある。好ましくは、シャンク９１４の外径は、頭部９１２の外径未満である。本明細書に示され、説明される例では、シャンク９１４は、３ｍｍの内径、及び約４ｍｍの外径を有する。螺旋ねじ山９４４は、０．５ｍｍ〜２．５ｍｍの範囲内のピッチ９４６を有する場合がある。例として、本例の螺旋ねじ山９４４は、１．５ｍｍのピッチを有する。シャンク９１４のピッチ９４６は、頭部９１２のピッチ９３８の偶数倍（例えば、２ｘ）ではないので、骨ねじ９１０は圧縮ねじである。シャンク９１４は、末端部９２０に配置された１つ以上の切削縦溝９４８をさらに含む。切削縦溝９４８は、ねじ９１０が骨の中に打ち込まれるにつれて骨材料を取り除くように働き、これにより外科的処置中に下穴を開ける必要性がなくなる。
【０１１８】
ネック９１６は、逆円錐頭部９１２とシャンク９１４との間で滑らかな遷移を与えるために、遠位方向に先細になる湾曲した外側面９５０を含む。
【０１１９】
骨ねじ９１０は、骨ねじ９１０の全体を通って軸方向に延びる中心管腔をさらに含む。中心管腔はそれを通るガイドワイヤ（例えば、Ｋワイヤ）を受け入れて、骨ねじ９１０を正しい移植場所に誘導するようなサイズに作られ、構成される。
【０１２０】
図３４から図３６は、本開示の別の実施形態に係る骨ねじ１０１０の例を示す。例として、骨ねじ１０１０は、頭部１０１２と、シャンク１０１４と、頭部１０１２とシャンク１０１４との間に配置されたネック１０１６とを含む。骨ねじ１０１０は、近端部１０１８と、末端部１０２０とをさらに含む。頭部１０１２は、骨ねじ１０１０の近端部１０１８に／近端部１０１８の近くに配置され、シャンク１０１４は、骨ねじ１０１０のネック１０１６から末端部１０２０へ長手方向軸Ｌ１１（同様に「垂直軸」）に沿って軸方向に延びる。頭部１０１２は、湾曲した外側面１０２２と、湾曲した外側面１０２２の周りに配置された螺旋ねじ山１０２４とを含む。頭部１０１２は、骨ねじ１０に関して上述されたように、逆円錐台断面形状１０２６を有する。湾曲した外側面１０２２は、幅広い基部１０２８から狭い基部１０３０へ近位方向に先細になる。例として、湾曲した外側面１０２２は、長手方向軸Ｌ１１に対して４．５°の角度Ａ１１で先細になる（９°の傾斜角を有する頭部の形状を画定する円錐を生じさせる）が、角度Ａ１１は、本開示の範囲から逸脱することなく４〜１５°（８〜３０°を含めた角度）の範囲内である場合がある。
【０１２１】
頭部１０１２は、幅広い基部１０２８で１．７５ｍｍ〜９．０ｍｍの範囲内の内径を有する場合がある。頭部１０１２は、２．０ｍｍ〜１０．０ｍｍの範囲内の外径を有する。第１の内径は、（螺旋ねじ山１０２４の）外径未満である。例として、図３４から図３６に示される骨ねじ１０１０の頭部１０１２は、幅広い基部１０２８で約３．４ｍｍの内径、及び約４．０ｍｍの外径を有する。円錐台形状の結果として、頭部１０１２は、近位から遠位の方向に拡大する内径を有する。外径は一定のまま留まり、結果として、骨と接触するねじ山表面積は遠位から近位の方向に拡大し、骨の中へのねじの増力を強化する。
【０１２２】
頭部１０１２は、角度のある面１０３４（同様に、「斜角面」または「ベベル」）と、ドライバー凹部１０３６とをさらに含む。角度のある面１０３４は、上面１０３２と外側面１０２２との間に形成される。上面１０３２は、頭部の直径に沿って測定されるとゼロより大きい幅広い寸法を有し、角度のある面１０３４がねじ１０１０の上部全体に完全に広がらないことを確実にする。本例では、上面１０３２は０．４５ｍｍの幅寸法を有するが、幅寸法は、骨ねじ１０１０の全体的なサイズに応じてより多い場合もあれば、より少ない場合もある。例として、角度のある面１０３４は、長手方向軸Ｌ１１に対して概して垂直である、上面１０３２の平面から測定された１〜６０°の範囲内のベベル角
【数１９】
2022500220.tif 000021
を有する場合がある。例として、図３４から図３６に示される骨ねじ１０１０のベベル角
【数２０】
2022500220.tif 000022
は、５０°である。角度のある面１０３４は、頭部が使用中に移植され、それによって骨ねじ１０１０が骨構造に対して斜めに移植されるときに骨の外面を越えて頭部が延びる程度を削減または排除するときに、解剖学的標的部位の一部を形成する骨の外面に概して平行及び同一平面上に配置される。ドライバー特徴１０３６は、長手方向軸Ｌ１１に沿って上面１０３２の中に形成され、ドライバー（例えば、マイナス、プラス、ヘクサローブ、トルクスなど）を受け入れるために適した任意の形状を有する場合がある。例として、本例の螺旋ねじ山１０２４は、１．２ｍｍのピッチを有する。
【０１２３】
例として、シャンク１０１４は円筒形の形状であり、骨ねじ１０１０のネック１０１６に隣接する近端部から末端部１０２０に延びる。シャンク１０１４は、湾曲した外側面１０４２と、湾曲した外側面１０４２の周りに配置された螺旋ねじ山１０４４とを含む。シャンク１０１４は、１．０ｍｍ〜７．５ｍｍの範囲内の内径、及び１．５ｍｍ〜８ｍｍの範囲内の外径を有する場合がある。好ましくは、シャンク１０１４の外径は、頭部１０１２の外径未満である。本明細書に示され、説明される例では、シャンク１０１４は、約１．５ｍｍの内径、及び約２．５ｍｍの外径を有する。螺旋ねじ山１０４４は、０．５ｍｍ〜５．５ｍｍの範囲内のピッチ１０４６を有する場合がある。例として、本例の螺旋ねじ山１０４４は、頭部１０１２の螺旋ねじ山１０２４のピッチと同じである、１．２ｍｍのピッチを有する。頭部１０１２及びシャンク１０１４は同じピッチを有するため、骨ねじ１０１０は圧縮中性である。シャンク１０１４は、末端部１０２０に配置された１つ以上の切削縦溝１０４８をさらに含む。切削縦溝１０４８は、ねじ１０１０が骨の中に打ち込まれるにつれて骨材料を取り除くように働き、これにより外科的処置中に下穴を開ける必要性がなくなる。
【０１２４】
ネック１０１６は、逆円錐頭部１０１２とシャンク１０１４との間で滑らかな遷移を与えるために、遠位方向に先細になる湾曲した外側面１０５０を含む。
【０１２５】
骨ねじ１０１０は、骨ねじ１０１０に関して上記に示され、説明された中心管腔と同一の、ねじ１０１０の全体を通って軸方向に延びる中心管腔をさらに含む。中心管腔はそれを通るガイドワイヤ（例えば、Ｋワイヤ）を受け入れて、骨ねじ１０１０を正しい移植場所に誘導するようなサイズに作られ、構成される。
【０１２６】
図３７から図３９は、本開示の別の実施形態に係る骨ねじ１１１０の例を示す。例として、骨ねじ１１１０は、頭部１１１２と、シャンク１１１４と、頭部１１１２とシャンク１１１４との間に配置されたネック１１１６とを含む。骨ねじ１１１０は、近端部１１１８と、末端部１１２０とをさらに含む。頭部１１１２は、骨ねじ１１１０の近端部１１１８に／近端部１１１８の近くに配置され、シャンク１１１４は、骨ねじ１１１０のネック１１１６から末端部１１２０へ長手方向軸Ｌ１２（同様に「垂直軸」）に沿って軸方向に延びる。頭部１１１２は、湾曲した外側面１１２２と、湾曲した外側面１１２２の周りに配置された螺旋ねじ山１１２４とを含む。頭部１１１２は、骨ねじ１０に関して上述されたように、逆円錐台断面形状１１２６を有する。湾曲した外側面１１２２は、幅広い基部１１２８から狭い基部１１３０へ近位方向に先細になる。例として、湾曲した外側面１１２２は、長手方向軸Ｌ１２に対して４．４°の角度Ａ１２で先細になる（８．８°の傾斜角を有する頭部の形状を画定する円錐を生じさせる）が、角度Ａ１２は、本開示の範囲から逸脱することなく４〜１５°（８〜３０°を含めた角度）の範囲内である場合がある。
【０１２７】
頭部１１１２は、幅広い基部１２２８で１．７５ｍｍ〜９．０ｍｍの範囲内の内径を有する場合がある。頭部１１１２は、２．０ｍｍ〜１０．０ｍｍの範囲内の外径を有する。第１の内径は、（螺旋ねじ山１１２４の）外径未満である。例として、図３７から図３９に示される骨ねじ１１１０の頭部１１１２は、幅広い基部１１２８で約３．３ｍｍの内径、及び約４．０ｍｍの外径を有する。円錐台形状の結果として、頭部１１１２は、近位から遠位の方向に拡大する内径を有する。外径は一定のまま留まり、結果として、骨と接触するねじ山表面積は遠位から近位の方向に拡大し、骨の中へのねじの増力を強化する。
【０１２８】
頭部１１１２は、角度のある面１１３４（同様に、「斜角面」または「ベベル」）と、ドライバー凹部１１３６とをさらに含む。角度のある面１１３４は、上面１１３２と外側面１１２２との間に形成される。上面１１３２は、頭部の直径に沿って測定されるとゼロより大きい幅広い寸法を有し、角度のある面１１３４がねじ１１１０の上部全体に完全に広がらないことを確実にする。本例では、上面１１３２は０．４２ｍｍの幅寸法を有するが、幅寸法は、骨ねじ１１１０の全体的なサイズに応じてより多い場合もあれば、より少ない場合もある。例として、角度のある面１１３４は、長手方向軸Ｌ１２に対して概して垂直である、上面１１３２の平面から測定された１〜６０°の範囲内のベベル角
【数２１】
2022500220.tif 000023
を有する場合がある。例として、図３７から図３９に示される骨ねじ１１１０のベベル角
【数２２】
2022500220.tif 000024
は、５０°である。角度のある面１１３４は、頭部が使用中に移植され、それによって骨ねじ１１１０が骨構造に対して斜めに移植されるときに骨の外面を越えて頭部が延びる程度を削減または排除するときに、解剖学的標的部位の一部を形成する骨の外面に概して平行及び同一平面上に配置される。ドライバー凹部１１３６は、長手方向軸Ｌ１２に沿って上面１１３２の中に形成され、ドライバー（例えば、マイナス、プラス、ヘクサローブ、トルクスなど）を受け入れるために適した任意の形状を有する場合がある。例として、本例の螺旋ねじ山１１２４は、１．０ｍｍのピッチを有する。
【０１２９】
例として、シャンク１１１４は円筒形の形状であり、骨ねじ１１１０のネック１１１６に隣接する近端部から末端部１１２０に延びる。シャンク１１１４は、湾曲した外側面１１４２と、湾曲した外側面１１４２の周りに配置された螺旋ねじ山１１４４とを含む。シャンクは、圧縮を可能にするために、近接して配置されたねじ山のない部分１１４５をさらに含む。例として、ねじ山のない部分１１４５は、シャフトの長さの約３分の２を含み、末端の３分の１の長さにねじ山が付けられている。治療されている骨折の種類及び場所に応じて、他の構成も可能である。シャンク１１１４は、１．０ｍｍ〜７．５ｍｍの範囲内の内径、及び１．５ｍｍ〜８ｍｍの範囲の外径を有する場合がある。好ましくは、シャンク１１１４の外径は、頭部１１１２の外径未満である。本明細書に示され、説明される例では、シャンク１１１４は、約１．５ｍｍの内径、及び約２．５ｍｍの外径を有する。螺旋ねじ山１１４４は、０．５ｍｍ〜５．５ｍｍの範囲内のピッチ１１４６を有する場合がある。例として、本例の螺旋ねじ山１１４４は、１．２ｍｍのピッチを有する。シャンク１１１４のピッチ１１４６は、頭部１１１２のピッチ１１３８と同じでもなければ、頭部１１１２のピッチ１１３８の偶数倍（例えば、２ｘ）でもないので、骨ねじ１１１０は圧縮ねじである。シャンク１１１４は、末端部１１２０に配置された１つ以上の切削縦溝１１４８をさらに含む。切削縦溝１１４８は、ねじ１１１０が骨の中に打ち込まれるにつれて骨材料を取り除くように働き、これにより外科的処置中に下穴を開ける必要性がなくなる。
【０１３０】
ネック１１１６は、逆円錐頭部１１１２とシャンク１１１４との間で滑らかな遷移を与えるために、遠位方向に先細になる湾曲した外側面１１５０を含む。
【０１３１】
骨ねじ１１１０は、骨ねじ１１１０に関して上記に示され、説明された中心管腔と同一の、骨ねじ１１１０の全体を通って軸方向に延びる中心管腔をさらに含む。中心管腔はそれを通るガイドワイヤ（例えば、Ｋワイヤ）を受け入れて、骨ねじ１１１０を正しい移植場所に誘導するようなサイズに作られ、構成される。
【０１３２】
本明細書に説明された骨ねじ１０及び多様な代替の例は、例えば、骨折の場合においてなど、骨の少なくとも２つの部分が安定化される必要がある任意の数の整形外科的処置で使用され得る。図４０は、例えば外反母趾修復手術の過程で、第１の骨部分及び第２の骨部分６０、６２を互いに対して安定化させるために使用する骨ねじ１０の一例を示す。本例では、骨ねじ１０の近端部１８が第１の部分６０と係合し、骨ねじ１０の末端部２０が第２の骨部分６２と係合するように、骨ねじ１０が挿入される。骨ねじ１０は、頭部１２及びシャンク１４の一部分が、１つの骨部分６０の海綿骨６６を通過しつつ、皮質骨６４に係合するように配置される。骨ねじ１０は、ベベル面３４が骨の端縁と位置合わせされ、そうでなければ骨から突出するであろうねじの部分を削減／排除するようにさらに配置される。圧縮中性ねじが使用される場合、次いで骨ねじ１０は、圧縮力を印加することなく骨部分の相対的な配置を保持する。
【０１３３】
骨ねじ１０は、さまざまな表示に対処するために骨ねじ１０を使用可能にするために任意の数のサイズ及び長さの構成で設けられる場合がある。図４１から図４４は、いくつかの異なる骨の場所で骨折を安定化するための、本明細書に説明される骨ねじ１０の使用のいくつかの例を示す。例えば、図４１は、骨折７２を修復するために足に、または骨切術で指の骨７０に挿入される骨ねじ１０を示す。図４２は、例えば外反母趾変形部を補正するために、遠位中足骨シェブロン骨切術の間にＶ字形の切断部７３を安定化させるために使用される部分的にねじ山をつけた骨ねじ９１０を示す。図４３は、骨折７６を修復するために上腕骨７４に挿入された１対の骨ねじ１０を示す。図４４は、手首領域のいくつかの骨折を修復するために使用された複数の骨ねじ１０を示す。例えば、１つの骨ねじ１０（例えば、小さい骨ねじ１０）は、骨折８０を修復するために舟状骨７８に挿入される。1対の骨ねじ１０は、骨折８４を修復するために橈骨８２に挿入される。
【０１３４】
図４５は、図１から６に関して上述された骨ねじ１０の頭部１２の拡大図であり、特に頭部１２の多様な角度及び表面寸法を示している。骨１０の頭部１２に関して、示され、説明されているが、続く説明は、本開示の範囲を逸脱することなく上記の例のいずれにも適用し得る。上述されたように、頭部１２は、骨ねじ１０の近端部１８に／近端部１８の近くに配置され、シャンク１４は、骨ねじ１０のネック１６から末端部２０へ長手方向軸Ｌ（同様に、「垂直軸」）に沿って軸方向に延びる。頭部１２は、湾曲した外側面２２と、湾曲した外側面２２の周りに配置された螺旋ねじ山２４とを含む。頭部１２は、概して円錐台断面形状を有し、錐台の幅広い基部２８は、頭部１２の最遠位境界または基部を形成し、錐台の狭い基部３０は、骨ねじ１０の最近位または上面３２を形成する。湾曲した外側面２２は、幅広い基部２８から狭い基部３０に近位方向に先細になる。例として、湾曲した外側面２２は、長手方向軸Ｌ（または長手方向軸に平行な軸）に対して５．９°の角度Ａで先細になり、１１．８°の傾斜角
【数２３】
2022500220.tif 000025
を有する頭部の形状を画定する円錐を生じさせる。角度Ａは、本開示の範囲から逸脱することなく５〜１５°の範囲内である場合がある（したがって、傾斜角
【数２４】
2022500220.tif 000026
は１０〜３０°の範囲内である場合がある）。
【０１３５】
本例では、頭部１２は、骨ねじ１０が骨構造に対して斜めに移植されるときに骨構造の端縁を越えて延びる場合があるねじ材料の量を削減／排除するために機能する角度のある面３４（同様に、「斜角面」または「ベベル」）を頭部１２がさらに含むという点で、斜角を付けられている。角度のある面３４は、上面３２と外側面２２との間に形成される。角度のある面３４のために、頭部１２は、頭部の基部（例えば、錐台の幅広い基部２８）と、上面３２（例えば、錐台の狭い基部３０）との間の垂直距離として定義された主要な高さ寸法ｈ１と、頭部の基部と、角度のある面３４と外側面２２との間の最遠位の交点３５との間の垂直距離として定義された小さい高さ寸法ｈ２とを有する。
【０１３６】
上面３２は、外側面２２の最近位端縁と、角度のある面３４の最近位端縁３３との間の最大距離によって定義される幅寸法ｗを有する。大部分の例示的な実施形態では、幅寸法ｗはゼロより大きく（例えば、ｗ＞０）、角度のある面３４がねじ１０の上部全体に完全に広がらないことを確実にする。いくつかの例では、幅寸法ｗはゼロに等しい場合があり（例えば、ｗ＝０）、その場合、角度のある面３４の最近位端縁３３は、外側面２２の最近位端縁と交差する。本例では、上面３２は０．６５ｍｍの幅寸法を有するが、幅寸法は、骨ねじ１０の全体的なサイズ及びベベルの角度
【数２５】
2022500220.tif 000027
に応じてより多い場合もあれば、より少ない場合もある。例として、角度のある面３４はベベル角
【数２６】
2022500220.tif 000028
を有する場合があり、長手方向軸Lに概して垂直である上面３２の平面から測定されると、
【数２７】
2022500220.tif 000029
である。例として、図３８に示される骨ねじ１０のベベル角
【数２８】
2022500220.tif 000030
は、５０°である。
【０１３７】
図４６から図５１は、角度のある面３４の最近位端縁３３の位置、及び角度のある面３４と外側面２２との間の最遠位交点３５を変えることによって作り出される頭部１２の考えられる構成のいくつかの例、並びにそれらの相対的な位置が、ベベル角
【数２９】
2022500220.tif 000031
及び上面３２の幅寸法ｗをどのように変えるのかを示す。例えば、図４０は、ｗ＞０及びｈ２＞０である頭部１２の例を示す。この例では、ベベル角
【数３０】
2022500220.tif 000032
は約５０°である。図４１は、ｗ＞０及びｈ２＝０である頭部１２の例を示す。この例では、ベベル角
【数３１】
2022500220.tif 000033
は約６５．５°である。図４２は、ｗ＝０及びｈ２＝０である頭部１２の例を示す。この例では、ベベル角
【数３２】
2022500220.tif 000034
は約６１．２°である。図４３は、ｗ＞０及び及びｈ２＝０である頭部１２の例を示す。この例では、ベベル角
【数３３】
2022500220.tif 000035
は約７９．５°である。図４４は、ｗ＞０及びｈ２＞０である頭部１２の別の例を示す。この例では、ベベル角
【数３４】
2022500220.tif 000036
は約７４．５°である。図４５は、ｗ−０及びｈ２＞０である頭部１２を示す。この例では、ベベル角
【数３５】
2022500220.tif 000037
は約３０°である。このようにして、本開示の骨ねじは、実行される特定の外科手術に対する外科医の必要性に応じて（例えば、挿入角など）、多様な角度の斜角面を提供されてよい。
【０１３８】
任意の特定の例に関して本明細書に図示され、説明された要素または特徴は、制限なく他の例に関して図示され、説明された任意の他の特徴（複数可）または要素（複数可）と組み合わせて使用され得ることに留意することが重要である。
【図１】
2022500220.tif 000038
【図２】
2022500220.tif 000039
【図３】
2022500220.tif 000040
【図４】
2022500220.tif 000041
【図５】
2022500220.tif 000042
【図６】
2022500220.tif 000043
【図７】
2022500220.tif 000044
【図８】
2022500220.tif 000045
【図９】
2022500220.tif 000046
【図１０】
2022500220.tif 000047
【図１１】
2022500220.tif 000048
【図１２】
2022500220.tif 000049
【図１３】
2022500220.tif 000050
【図１４】
2022500220.tif 000051
【図１５】
2022500220.tif 000052
【図１６】
2022500220.tif 000053
【図１７】
2022500220.tif 000054
【図１８】
2022500220.tif 000055
【図１９】
2022500220.tif 000056
【図２０】
2022500220.tif 000057
【図２１】
2022500220.tif 000058
【図２２】
2022500220.tif 000059
【図２３】
2022500220.tif 000060
【図２４】
2022500220.tif 000061
【図２５】
2022500220.tif 000062
【図２６】
2022500220.tif 000063
【図２７】
2022500220.tif 000064
【図２８】
2022500220.tif 000065
【図２９】
2022500220.tif 000066
【図３０】
2022500220.tif 000067
【図３１】
2022500220.tif 000068
【図３２】
2022500220.tif 000069
【図３３】
2022500220.tif 000070
【図３４】
2022500220.tif 000071
【図３５】
2022500220.tif 000072
【図３６】
2022500220.tif 000073
【図３７】
2022500220.tif 000074
【図３８】
2022500220.tif 000075
【図３９】
2022500220.tif 000076
【図４０】
2022500220.tif 000077
【図４１】
2022500220.tif 000078
【図４２】
2022500220.tif 000079
【図４３】
2022500220.tif 000080
【図４４】
2022500220.tif 000081
【図４５】
2022500220.tif 000082
【図４６】
2022500220.tif 000083
【図４７】
2022500220.tif 000084
【図４８】
2022500220.tif 000085
【図４９】
2022500220.tif 000086
【図５０】
2022500220.tif 000087
【図５１】
2022500220.tif 000088
【国際調査報告】
2022500220.tif 000089